(57)【要約】      （修正有）【課題】再生デバイス同士で構成状態を共有する方法を提供する。【解決手段】方法は、ネットワークインタフェースを介して、メディア再生システムの第１再生デバイスの較正状態の情報を受信するステップ５０２と、第１再生デバイスが較正済みであることを示すように較正状態変数を構成するステップ５０４と、第１再生デバイスが未較正となったことを示すトリガ条件を検出するステップ５０６と、第１再生デバイスが未較正であることを示すように較正状態変数を更新するステップ５０８と、更新された較正状態変数の情報を第２再生デバイスに送信するステップ５１０と、を含む。【選択図】図５
2020108173.tif 000002
【特許請求の範囲】
【請求項１】
ネットワークインタフェースを介して、メディア再生システムの第１再生デバイスの較正状態の情報を受信するステップ、
受信された情報に基づいて、第１再生デバイスの較正状態を示すように較正状態変数の更新及び構成の一方を行うステップ、
ネットワークインタフェースを介して、更新された較正状態変数の情報をメディア再生システムの第２デバイスに送信するステップ、
を含む、方法。
【請求項２】
更に、
第１再生デバイスの較正状態が変化したことを示すトリガ条件を検出するステップ、
トリガ条件を検出するステップに基づいて、
第１再生デバイスの変更された較正状態を示すように較正状態変数を更新するステップ、
ネットワークインタフェースを介して、更新された較正状態変数の情報を第２デバイスに送信するステップ、
を含む、請求項１に記載の方法。
【請求項３】
トリガ条件を検出するステップは、コマンドを受信することを含み、
前記コマンドは、少なくとも
第２再生デバイスをステレオペアの第２チャネルとして含むステレオペアの第１チャネルとして、第１再生デバイスをメディア再生システムの第１ゾーンに参加させること、
サブウーファーを備える第２再生デバイスとの結合ゾーン構成を、第１再生デバイスに形成させること、
第１及び第２再生デバイスがメディアを共同再生する第２再生デバイスとの結合ゾーン構成から、第１再生デバイスを結合解除させること、及び
第１再生デバイスがメンバーであるゾーンの特定のゾーン名を変更させること、
を含む、請求項２に記載の方法。
【請求項４】
トリガ条件を検出するステップは、第１再生デバイスの物理的配向性に対する修正が閾値回転を超えることを第１再生デバイスのセンサを介して検出することを含む、請求項２に記載の方法。
【請求項５】
第１再生デバイスの較正状態の情報を受信するステップは、
１つ又は複数のスピーカーのイコライゼーションを調整する１つ又は複数の較正値を示す較正プロファイルを受信すること、
第１再生デバイスが較正済み及び未較正の一方であることの情報を制御デバイスから受信すること、及び
第１再生デバイスが較正済み及び未較正の一方であることの情報を第２再生デバイスから受信すること、
のうちいずれかを含む、請求項１〜４のいずれか一項に記載の方法。
【請求項６】
第２デバイスは、メディア再生システムの第２再生デバイスであり、
更新された較正状態変数の情報を第２デバイスに送信するステップは、第２再生デバイスに、第１再生デバイスの較正状態を示すように第２再生デバイスに記憶された状態変数を更新させる命令を送信することを含む、
請求項１〜５のいずれか一項に記載の方法。
【請求項７】
更新された較正状態変数の情報を第２デバイスに送信するステップは、
メディア再生システムの制御デバイスである第２デバイスに、第１再生デバイスの較正状態を示すようにグラフィック表示を更新させる命令を送信すること、
第２デバイスから、第１再生デバイスの較正状態の情報に対するクエリを受信し、これに応答して、第１再生デバイスの較正状態の情報を第２デバイスに送信すること、及び
第１再生デバイスの１つ又は複数のスピーカーのイコライゼーションを調整する１つ又は複数の較正値を示す較正プロファイルを送信すること、
のうち少なくとも１つを含む、請求項１〜６のいずれか一項に記載の方法。
【請求項８】
更に、
第１再生デバイスが最後に較正された時間を決定するステップ、
第１再生デバイスが最後に較正されたときに第１再生デバイスが構成された結合ゾーン構成を特定するステップ、
（ｉ）第１再生デバイスが最後に較正された時間及び（ｉｉ）第１再生デバイスが最後に較正されたときに第１再生デバイスが構成された結合ゾーン構成の情報を、第２デバイスに送信するステップ、
を含む、請求項１〜７のいずれか一項に記載の方法。
【請求項９】
更に、
ネットワークインタフェースを介して、第２再生デバイスの較正状態の情報を受信するステップ、
受信した情報に基づいて、第２再生デバイスの較正状態を示すように第２較正状態変数を更新するステップ、
ネットワークインタフェースを介して、更新された第２較正状態変数の情報を他のデバイスに送信するステップ、
を含む、請求項１〜８のいずれか一項に記載の方法。
【請求項１０】
更に、
第２デバイスにより、メディア再生システムの第１ゾーンのメンバーである第１再生デバイスの較正状態を示す較正状態変数を受信するステップ、
第１ゾーン及び第１再生デバイスの一方の較正状態の情報と、第１ゾーン及び第１再生デバイスの一方の較正を開始するための選択可能コントロールとを表示させるステップ、
選択可能コントロールの選択を検出することに基づいて、第１ゾーン及び第１再生デバイスの一方の較正を開始するステップ、
を含む、請求項１〜９のいずれか一項に記載の方法。
【請求項１１】
更に、
ゾーン制御インタフェースを表示させるステップを含み、
ゾーン制御インタフェースは、
メディア再生システムの１つ又は複数のゾーン、及び
少なくとも１つのゾーンの較正状態の情報、
を示す、請求項１０に記載の方法。
【請求項１２】
更に、ゾーン設定インタフェースを表示させるステップを含み、
ゾーン設定インタフェースは、第１再生デバイス及び第１ゾーンの一方の較正状態の情報を含むそれぞれのゾーン用の設定インタフェースを、選択時にグラフィカルインタフェースに表示させる１つ又は複数の第２選択可能コントロールを含む、請求項１０に記載の方法。
【請求項１３】
第１ゾーン用の設定インタフェースは、更に、
選択可能コントロール、及び
第１ゾーンの動作を調整する複数の第３の選択可能コントロール、
を含む、請求項１２に記載の方法。
【請求項１４】
更に、
第１再生デバイスの較正後、
選択時、第１再生デバイスの再較正を開始する、第１ゾーン用の設定インタフェース内の選択可能コントロールを表示させるステップ、
第２デバイスに、第１再生デバイスが未較正であるという情報を除去させるステップ、及び
第１再生デバイスに、第１再生デバイスが較正済みであることを示すように較正状態変数を更新することを命令するコマンドを送信するステップ、
のうち少なくとも１つを含む、請求項１３に記載の方法。
【請求項１５】
第１再生デバイス及び第１ゾーンの一方は、第１ゾーンであり、
方法は、更に、第１ゾーンの特定の第１再生デバイスが未較正であるという情報を第１ゾーン用の設定インタフェース内に表示させるステップを含む、
請求項１０〜１４のいずれか一項に記載の方法。
【請求項１６】
較正状態は、較正済み又は未較正の一方である、請求項１〜１５のいずれか一項に記載の方法。
【請求項１７】
第１再生デバイス及び第２再生デバイスは、ローカルエリアネットワークを介して接続される、請求項１〜１６のいずれか一項に記載の方法。
【請求項１８】
第１再生デバイスの構成状態を示す構成状態変数は、第１再生デバイスのデータストレージに記憶される、請求項１〜１７のいずれか一項に記載の方法。
【請求項１９】
第２再生デバイスの構成状態を示す構成状態変数は、第１再生デバイスのデータストレージと第２再生デバイスのデータストレージとに記憶される、請求項１〜１８のいずれか一項に記載の方法。
【請求項２０】
１つ又は複数のスピーカーと、
ネットワークインタフェースと、
データストレージと、
請求項１〜１９のいずれか一項に記載の方法を実行するために構成された１つ又は複数のプロセッサと、
を備えるメディア再生システムの第１再生デバイス。
【発明の詳細な説明】
【関連出願の参照】
【０００１】
本願は、２０１２年６月２８日に出願された米国特許出願第１３／５３６，４９３号「デバイス再生較正のためのシステム及び方法」に関連し、２０１５年７月７日に出願された米国特許出願第１４／７９３，１９０「較正状態変数」及び２０１５年７月７日に出願された米国特許出願第１４／７９３，２０５号「較正インジケータ」に基づく優先権を主張し、これらは全てその開示内容全体を本願明細書の一部とする。
【技術分野】
【０００２】
本願は、コンシューマ製品に関するものであり、特に、メディア再生に向けられた方法、システム、製品、機能、サービス、および他の要素に関するものや、それらのいくつかの態様に関する。
【背景技術】
【０００３】
２００３年に、ソノズ・インコーポレイテッドが最初の特許出願のうちの１つである「複数のネットワークデバイス間のオーディオ再生を同期する方法」と題する特許出願をし、２００５年にメディア再生システムの販売を開始するまで、アウトラウド設定におけるデジタルオーディオへのアクセスおよび試聴のオプションは厳しく制限されていた。人々は、ソノズ無線ＨｉＦｉシステムによって、１つ又は複数のネットワーク再生デバイスを介して多くのソースから音楽を実質的に無制限に体験できるようになっている。スマートフォン、タブレット、又はコンピュータにインストールされたソフトウェアコントロールアプリケーションを通じて、ネットワーク再生デバイスを備えたいずれの部屋においても、人々は自分が望む音楽を再生することができる。また、例えばコントローラを用いて、再生デバイスを備えた各部屋に異なる歌をストリーミングすることもできるし、同期再生のために複数の部屋をグループ化することもできるし、全ての部屋において同期して同じ歌を聞くこともできる。
【発明の概要】
【発明が解決しようとする課題】
【０００４】
これまでのデジタルメディアに対する関心の高まりを考えると、試聴体験を更に向上させることができるコンシューマアクセス可能な技術を更に開発することにニーズがある。
【０００５】
本明細書で開示されている技術の特徴、態様、および利点は、以下の記載、添付の特許請求の範囲、および添付の図面を参照するとより理解しやすい。
【図面の簡単な説明】
【０００６】
【図１】ある実施形態で実施可能な例示的なメデイア再生システムの構成を示す図
【図２】例示的な再生デバイスの機能ブロック図を示す図
【図３】例示的な制御デバイスの機能ブロック図を示す図
【図４】例示的なコントローラインタフェースを示す図
【図５】較正状態変数を更新及び送信する例示的なフロー図
【図６】例示の実施形態における例示的なデバイスによって記憶される較正状態変数の例を示す表
【図７】ある実施形態が実施される別の例示的なメディア再生システム構成
【図８】例示的な実施形態における例示的なデバイスによって記憶される較正状態変数の別の例を示すテーブル
【図９】較正状態変数の情報を表示する例示的なフロー図
【図１０】例示の実施形態において、ゾーンが未較正であることを示す例示的な制御インタフェース
【図１１】例示の実施形態において、ゾーンが未較正であることを示す別の例示的な制御インタフェース
【図１２】例示的な実施形態における例示的なゾーン設定インタフェース
【図１３】例示的な実施形態における第１ゾーンを設定する例示的な設定インタフェース
【図１４】例示的な実施形態における第２ゾーンを設定する例示的なゾーン設定インタフェース
【発明を実施するための形態】
【０００７】
図面は、いくつかの例示的な実施形態を説明することを目的としているが、本発明が、図面に示した配置および手段に限定されるものではないことは理解される。
【０００８】
Ｉ．概要
本発明の一態様によれば、方法が提供される。方法は、ネットワークインタフェースを介して、メディア再生システムの第１再生デバイスの較正状態の情報を受信するステップを含む。受信された情報に基づいて、方法は、更に、第１再生デバイスの較正状態を示すように較正状態変数の更新及び構成の一方を行うステップ、ネットワークインタフェースを介して、更新された較正状態変数の情報をメディア再生システムの第２デバイスに送信するステップを含む。
【０００９】
方法は、第１再生デバイスの較正状態が変化したことを示すトリガ条件を検出するステップ、トリガ条件を検出することに基づいて、第１再生デバイスの変更された較正状態を示すように較正状態変数を更新するステップ、を含む。方法は、更に、ネットワークインタフェースを介して、更新された較正状態変数の情報を第２デバイスに送信するステップを含み得る。
【００１０】
トリガ条件を検出するステップは、制御デバイスからコマンドを受信することを含み得る。コマンドにより、第２再生デバイスをステレオペアの第２チャネルとして含むステレオペアの第１チャネルとして、第１再生デバイスをメディア再生システムの第１ゾーンに参加させ得る。コマンドは、第１及び第２再生デバイスがメディアを共同再生する第２再生デバイスとの結合ゾーン構成から、第１再生デバイスを結合解除させ得る。コマンドは、第１再生デバイスがメンバーであるゾーンの特定のゾーン名を変更し得る。
【００１１】
トリガ条件を検出するステップは、第１再生デバイスの物理的配向性に対する修正が閾値回転を超えることを第１再生デバイスのセンサを介して検出することを含み得る。
【００１２】
第１再生デバイスの較正状態の情報を受信することは、１つ又は複数のスピーカーのイコライゼーションを調整する１つ又は複数の較正値を示す較正プロファイルを受信することを含み得る。第１再生デバイスの較正状態の情報を受信することは、第１再生デバイスが較正済み及び未較正の一方であることの情報を制御デバイスから受信することを含み得る。第１再生デバイスの較正状態の情報を受信することは、第１再生デバイスが較正済み及び未較正の一方であることの情報を第２再生デバイスから受信することを含み得る。
【００１３】
第２デバイスは、メディア再生システムの第２再生デバイスであり得る。更新された較正状態変数の情報を第２デバイスに送信することは、第２再生デバイスに、第１再生デバイスの較正状態を示すように第２再生デバイスに記憶された状態変数を更新させる命令を送信することを含み得る。
【００１４】
更新された較正状態変数の情報を第２デバイスに送信するステップは、第２デバイスに、第１再生デバイスの較正状態を示すようにグラフィック表示を更新させる命令を送信することを含んでよく、第２デバイスは、メディア再生システムの制御デバイスである。更新された較正状態変数の情報を第２デバイスに送信するステップは、第２デバイスから、第１再生デバイスの較正状態の情報に対するクエリを受信し、これに応答して、第１再生デバイスの較正状態の情報を第２デバイスに送信することを含み得る。更新された較正状態変数の情報を第２デバイスに送信するステップは、第１再生デバイスの１つ又は複数のスピーカーのイコライゼーションを調整する１つ又は複数の較正値を示す較正プロファイルを送信することを含み得る。
【００１５】
方法は、更に、第１再生デバイスが最後に較正された時間を決定するステップ、第１再生デバイスが最後に較正されたときに第１再生デバイスが構成された結合ゾーン構成を特定するステップ、（ｉ）第１再生デバイスが最後に較正された時間及び（ｉｉ）第１再生デバイスが最後に較正されたときに第１再生デバイスが構成された結合ゾーン構成の情報を第２デバイスに送信するステップ、を含み得る。
【００１６】
方法は、更に、ネットワークインタフェースを介して、第２再生デバイスの較正状態の情報を受信するステップ、受信した情報に基づいて、第２再生デバイスの較正状態を示すように第２較正状態変数を更新するステップ、を含み得る。方法は、更に、ネットワークインタフェースを介して、更新された第２較正状態変数の情報を他のデバイスに送信するステップを含み得る。
【００１７】
方法は、更に、第２デバイスにより、メディア再生システムの第１ゾーンのメンバーである第１再生デバイスの較正状態を示す較正状態変数を受信するステップを含み得る。方法は、更に、第１ゾーン及び第１再生デバイスの一方の較正状態の情報と、第１ゾーン及び第１再生デバイスの一方の較正を開始するための選択可能コントロールとを表示させるステップを含み得る。方法は、更に、選択可能コントロールの選択を検出することに基づいて、第１ゾーン及び第１再生デバイスの一方の較正を開始するステップを含み得る。
【００１８】
方法は、更に、メディア再生システムの１つ又は複数のゾーンと、少なくとも１つのゾーンの較正状態の情報とを示すゾーン制御インタフェースを表示させるステップを含み得る。
【００１９】
方法は、更に、第１再生デバイス及び第１ゾーンの一方の較正状態の情報を含むそれぞれのゾーン用の設定インタフェースを、選択時にグラフィカルインタフェースに表示させる１つ又は複数の第２選択可能コントロールを含む、ゾーン設定インタフェースを表示させるステップを含み得る。第１ゾーン用の設定インタフェースは、更に、選択可能コントロールと、第１ゾーンの動作を調整する複数の第３の選択可能コントロールとを含み得る。第１再生デバイスの較正後、方法は、更に、選択時、第１再生デバイスの再較正を開始する、第１ゾーン用の設定インタフェース内の選択可能コントロールを表示させるステップを含み得る。第１再生デバイスの較正後、方法は、更に、第２デバイスに、第１再生デバイスが未較正であるという情報を除去させるステップを含み得る。第１再生デバイスの較正後、方法は、更に、第１再生デバイスに、第１再生デバイスが較正済みであることを示すように較正状態変数を更新することを命令するコマンドを送信するステップを含み得る。
【００２０】
方法は、更に、第１ゾーンの特定の第１再生デバイスが未較正であるという情報を第１ゾーン用の設定インタフェース内に表示させるステップを含み得る。
【００２１】
較正状態は、較正済み又は未較正となり得る。
【００２２】
第１再生デバイス及び第２再生デバイスは、ローカルエリアネットワークを介して接続し得る。
【００２３】
第１再生デバイスの構成状態を示す構成状態変数は、第１再生デバイスのデータストレージに記憶し得る。
【００２４】
第２再生デバイスの構成状態を示す構成状態変数は、第１再生デバイスのデータストレージと第２再生デバイスのデータストレージとに記憶し得る。
【００２５】
メディア再生システムの第１再生デバイスは、１つ又は複数のスピーカーと、ネットワークインタフェースと、データストレージと、上述の方法を実行するために構成された１つ又は複数のプロセッサとを備え得る。
【００２６】
本明細書に記載の実施形態は、特に、較正状態変数によりメディア再生システム全体で１つ又は複数の再生デバイスの較正状態を維持する手法を含む。較正状態変数は、メディア再生システムの１つ又は複数の再生デバイスの較正状態（即ち、所定の再生デバイスが較正済みか）を示し得る。一部の実施において、較正状態は、１つ又は複数の再生デバイスの較正プロファイル（例えば、特定の環境内での所定の再生デバイスの応答をイコライゼーションするためのプロファイル）を更に示し得る。
【００２７】
例において、較正状態変数は、再生デバイスに記憶し、メディア再生システムの他のデバイス（例えば、再生デバイス及び／又は制御デバイス）に共有させ得る。例えば、メディア再生システムの所定の再生デバイスは、メディア再生システムの再生デバイスの較正状態を示す状態変数（又は状態変数の集合）をデータストレージ内に維持し得る。所定の再生デバイスは、ネットワークインタフェースを介してデバイスに状態変数（群）の情報を送信することにより、較正状態変数（群）を他のデバイス（例えば、再生デバイス及び／又は制御デバイス）と共有し得る。一部の実施において、較正状態変数の複数のインスタンスを複数のデバイスに記憶してよく、これにより、考えられる利点として特に、メディア再生システム全体に冗長性を提供し得る。
【００２８】
メディア再生システムにより維持される較正状態変数は、再生デバイスがパワーサイクリング（即ち、電源オフされ、その後再び電源オンされること）を通して較正状態を保持することを容易にし得る。例えば、電源オンされた後、第１再生デバイスは、第１再生デバイスに対応する較正状態変数の情報を、第２デバイスから受信し得る。場合により、較正状態変数は、第１再生デバイスが較正済みであることを示し得る。このような場合、第１再生デバイスは、（恐らくは、第１再生デバイス、又はメディア再生システムの他のデバイス（例えば、第２デバイス）に記憶された）既存の較正プロファイルにより、デバイス自体を構成し得る。
【００２９】
較正状態変数により、未較正のデバイスの較正を開始させてもよい。例えば、上記の例に戻ると、第１再生デバイスに対応する較正状態変数は、第１再生デバイスが較正されていないことを示す場合がある。このような較正状態変数の情報を受信することを契機に、第１再生デバイスが較正手順を開始してもよい。
【００３０】
本明細書において考えられる幾つかの較正手順は、メディア再生システムの制御デバイスが、メディア再生システムの１つ又は複数の再生デバイスが発した音波（例えば、１つ又は複数の較正音）を検出及び分析することを含む。場合により、このような較正音は、制御デバイスが所定の環境内の１つ又は複数の再生デバイスのそれぞれの周波数応答を決定することを容易にし得る。このような応答を、所定の再生デバイスについて決定した後、制御デバイスは、所定の再生デバイスに対して、所定の環境の音響をオフセットする特定の較正プロファイル（例えば、イコライゼーション）を採用するように命令し得る。
【００３１】
このような較正手順を再生デバイスに対して実行することにより、メディア再生システムは、その再生デバイスに対応する較正状態変数を更新し得る。例えば、制御デバイスは、所定の再生デバイスにより較正手順を実行し、その後、較正状態変数を維持している１つ又は複数の再生デバイスに対して、較正済み再生デバイスに対応する較正状態変数に、そのデバイスの更新された較正ステータスを反映させる命令を送信し得る。
【００３２】
再生デバイスにより記憶された較正状態変数は、様々な条件に基づいて更新し得る。例えば、再生デバイスは、再生デバイスが１つ又は複数の追加の再生デバイスに加わって結合ゾーン（例えば、ステレオペア又はサラウンドサウンドグループ）を形成した場合、再生デバイスがこのようグループのメンバーとして異なる動作をし得ることから、その較正済みステータスを失ってもよい。更に、環境の音響は環境内の場所により異なる場合があるため、再生デバイスは、物理的に移動させた場合に、その較正ステータスを失ってもよい。例えば、再生デバイス上のセンサは、物理的配向性の変化又は他の場所への移動を感知し得る。他の例として、他のゾーン（例えば、「リビングルーム」ゾーンから「寝室」ゾーン）に移動された再生デバイスは、このようなゾーン変更により、デバイスが他の物理的な場所に移動したと推定されることから、その較正済みステータスを失ってもよい。再生デバイスに関してこのような状態を検出した際に、デバイスは、恐らくはデバイス自体の較正状態変数（群）を更新すること又は他のデバイスに較正状態変数（群）を更新するように命令することにより、その再生デバイスの新しい較正状態を示すように較正状態変数（群）を更新し得る。
【００３３】
メディア再生システムの制御デバイスは、メディア再生システムの再生デバイスの制御を容易にするグラフィカルユーザインタフェースを表示し得る。このようなグラフィカルユーザインタフェースは、メディア再生システムの再生デバイスに対応する較正状態変数（群）の情報を含む１つ又は複数のインタフェースを含み得る。一部の実施形態では、複数のインタフェースが、較正状態に関する様々なレベルの情報を提供し得る。例えば、第１インタフェースは、特定の再生デバイス（又は特定の再生デバイスを含むゾーン）に問題があることを示し得る。第１インタフェース上のコントロールを介してアクセスされる可能性がある第２インタフェースは、特定のデバイスが未較正であることを示し得る。１つ又は複数のインタフェースは、メディア再生システムの再生デバイスの較正を開始するためにコントロールを提供し得る。制御デバイスは、メディア再生システムのために較正状態変数（群）を維持している再生デバイス（群）からの較正状態変数（群）の情報を受信することにより、較正ステータスを最新状態に保持し得る。
【００３４】
上記のように、手法の例は、較正状態変数を含み得る。一例においては、方法が提供される。方法は、ネットワークインタフェースを介して、第１再生デバイスが較正済みであるという情報を受信するステップを含み得る。また、方法は、第１再生デバイスが較正済みであるという情報を受信するステップに基づいて、第１再生デバイスが較正済みであることを示すように較正状態変数を更新するステップを含み得る。方法は、更に、ネットワークインタフェースを介して、更新された較正状態変数の情報を第２デバイスに送信するステップを含み得る。
【００３５】
他の例では、他の方法が提供され、方法は、メディア再生システムの再生デバイスにより、第１再生デバイスが較正済みであるという情報を受信するステップを含む。また、方法は、再生デバイスが較正済みであるという情報を受信するステップに基づいて、再生デバイスが較正済みであることを示すように較正状態変数を構成するステップ、再生デバイスが未較正となったことを示すトリガ条件を検出するステップ、を含み得る。方法は、再生デバイスが未較正となったことを示すトリガ条件を検出することに基づいて、再生デバイスが未較正であることを示すように較正状態変数を更新するステップ、ネットワークインタフェースを介して、更新された較正状態変数の情報をメディア再生システムの第２デバイスに送信するステップ、を含み得る。
【００３６】
他の例では、デバイスが提供される。デバイスは、ネットワークインタフェースと、少なくとも１つのプロセッサと、データストレージと、データストレージに記憶され、動作を行うために少なくとも１つのプロセッサにより実行可能なプログラムロジックとを含む。動作は、ネットワークインタフェースを介して、第１再生デバイスが較正済みであるという情報を受信するステップを含み得る。また、動作は、第１再生デバイスが較正済みであるという情報を受信することに基づいて、第１再生デバイスが較正済みであることを示すように較正状態変数を更新するステップを含み得る。動作は、更に、ネットワークインタフェースを介して、更新された較正状態変数の情報を第２デバイスに送信するステップを含み得る。
【００３７】
他の例では、メディア再生システムの第１再生デバイスが提供される。第１再生デバイスは、１つ又は複数のスピーカーと、ネットワークインタフェースと、１つ又は複数のプロセッサと、再生デバイスに動作を実行させるために１つ又は複数のプロセッサにより実行可能な命令を記憶したデータストレージとを備え得る。動作は、ネットワークインタフェースを介して、第１再生デバイスが較正済みであるという情報を受信するステップを含み得る。動作は、更に、第１再生デバイスが較正済みであるという情報を受信するステップに基づいて、第１再生デバイスが較正済みであることを示すように較正状態変数を構成するステップを含み得る。他の動作は、第１再生デバイスが未較正となったことを示すトリガ条件を検出するステップ、第１再生デバイスが未較正となったことを示すトリガ条件を検出することに基づいて、再生デバイスが未較正であることを示すように較正状態変数を更新するステップ、ネットワークインタフェースを介して、更新された較正状態変数の情報を第２デバイスに送信するステップ、を含み得る。
【００３８】
第１再生デバイスが未較正となったことを示すトリガ条件を検出するステップは、制御デバイスから、第２再生デバイスをステレオペアの第２チャネルとして含むステレオペアの第１チャネルとして、第１再生デバイスをメディア再生システムの第１ゾーンに参加させるコマンドを受信することを含み得る。
【００３９】
第１再生デバイスが未較正となったことを示すトリガ条件を検出するステップは、制御デバイスから、サブウーファーを備える第２再生デバイスとの結合ゾーン構成を、第１再生デバイスに形成させるコマンドを受信することを含み得る。
【００４０】
第１再生デバイスは、特定のゾーン名を有するゾーンのメンバーであってよく、第１再生デバイスが未較正となったことを示すトリガ条件を検出するステップは、制御デバイスから、ゾーンの特定のゾーン名を変更するコマンドを受信することを含み得る。
【００４１】
第１再生デバイスは物理的配向性を有してよく、第１再生デバイスが未較正となったことを示すトリガ条件を検出するステップは、第１再生デバイスの物理的配向性に対する修正が閾値回転を超えることを第１再生デバイスのセンサを介して検出することを含み得る。
【００４２】
第１再生デバイス及び第２再生デバイスは、第１再生デバイスと第２再生デバイスとがメディアを共同再生するように配置された結合ゾーン構成を形成し得る。第１再生デバイスが未較正となったことを示すトリガ条件を検出するステップは、第２再生デバイスとの結合ゾーン構成から第１再生デバイスを結合解除させるコマンドを受信することを含み得る。
【００４３】
第１再生デバイスが較正済みであるという情報を受信するステップは、１つ又は複数のスピーカーのイコライゼーションを調整する１つ又は複数の較正値を示す較正プロファイルを受信することを含み得る。
【００４４】
第１再生デバイスが較正済みであるという情報を受信するステップは、制御デバイスから、第１再生デバイスが較正済みであるという情報を受信することを含み得る。
【００４５】
第１再生デバイスが較正済みであるという情報を受信するステップは、第２再生デバイスから、第１再生デバイスが較正済みであるという情報を受信することを含み得る。
【００４６】
第２デバイスは、メディア再生システムの第２再生デバイスであってよく、ネットワークインタフェースを介して、更新された較正状態変数の情報を第２デバイスに送信するステップは、第２再生デバイスに、第１再生デバイスが未較正であることを示すように第２再生デバイスに記憶された状態変数を更新させる命令を送信することを含み得る。
【００４７】
第２デバイスは、メディア再生システムの制御デバイスであってよく、ネットワークインタフェースを介して、更新された較正状態変数の情報を第２デバイスに送信するステップは、制御デバイスに、第１再生デバイスが未較正であることを示すようにグラフィック表示を更新させる命令を送信することを含み得る。
【００４８】
ネットワークインタフェースを介して、更新された較正状態変数の情報を第２デバイスに送信するステップは、第２デバイスから、第１再生デバイスの較正状態の情報に対するクエリを受信し、これに応答して、第１再生デバイスが未較正であるという情報を第２デバイスに送信することを含み得る。
【００４９】
他の例では、メディア再生システムの他の第１再生デバイスが提供される。第１再生デバイスは、１つ又は複数のスピーカーと、ネットワークインタフェースと、１つ又は複数のプロセッサと、再生デバイスに動作を実行させるために１つ又は複数のプロセッサにより実行可能な命令を記憶したデータストレージとを備え得る。動作は、ネットワークインタフェースを介して、第１再生デバイスが較正済みであるという情報を受信するステップ、第１再生デバイスが較正済みであるという情報を受信するステップに基づいて、第１再生デバイスが較正済みであることを示すように、データストレージに記憶された較正状態変数を更新するステップ、を含み得る。動作は、更に、ネットワークインタフェースを介して、更新された較正状態変数の情報を第２デバイスに送信するステップを含み得る。
【００５０】
第２デバイスは、メディア再生システムの第２再生デバイスであってよく、ネットワークインタフェースを介して、更新された較正状態変数の表示を第２デバイスに送信するステップは、第２再生デバイスに、第１再生デバイスが較正済みであることを示すように第２再生デバイスに記憶された状態変数を更新させる命令を送信することを含み得る。
【００５１】
第２デバイスは、メディア再生システムの制御デバイスであってよく、ネットワークインタフェースを介して、更新された較正状態変数の情報を第２デバイスに送信するステップは、制御デバイスに、第１再生デバイスが較正済みであることを示すようにグラフィック表示を更新させる命令を送信することを含み得る。
【００５２】
ネットワークインタフェースを介して、更新された較正状態変数の情報を第２デバイスに送信するステップは、１つ又は複数のスピーカーのイコライゼーションを調整する１つ又は複数の較正値を示す較正プロファイルを送信することを含み得る。
【００５３】
ネットワークインタフェースを介して、更新された較正状態変数の情報を第２デバイスに送信するステップは、第２デバイスから、第１再生デバイスの較正状態の情報に対するクエリを受信し、これに応答して、第１再生デバイスが較正済みであるという情報を第２デバイスに送信することを含み得る。
【００５４】
動作は、更に、第１再生デバイスが最後に較正された時間を決定するステップ、第１再生デバイスが最後に較正されたときに第１再生デバイスが構成された結合ゾーン構成を特定するステップ、（ｉ）第１再生デバイスが最後に較正された時間及び（ｉｉ）第１再生デバイスが最後に較正されたときに第１再生デバイスが構成された結合ゾーン構成の情報を第２デバイスに送信するステップ、を含み得る。
【００５５】
他の動作は、ネットワークインタフェースを介して、第２再生デバイスが較正済みであるという情報を受信するステップ、第２再生デバイスが較正済みであるという情報を受信することに基づいて、第２再生デバイスが較正済みであることを示すように、データストレージに記憶された第２較正状態変数を更新するステップ、ネットワークインタフェースを介して、更新された第２較正状態変数の情報を他のデバイスに送信するステップ、を含み得る。
【００５６】
更に他の例では、非一時的コンピュータ読み取り可能メモリが提供される。非一時的コンピュータ読み取り可能メモリは、コンピュータにより実行可能で、コンピュータに動作を実行させる命令を記憶している。動作は、ネットワークインタフェースを介して、第１再生デバイスが較正済みであるという情報を受信するステップを含み得る。また、動作は、第１再生デバイスが較正済みであるという情報を受信するステップに基づいて、第１再生デバイスが較正済みであることを示すように較正状態変数を更新するステップを含み得る。動作は、更に、ネットワークインタフェースを介して、更新された較正状態変数の情報を第２デバイスに送信するステップを含み得る。
【００５７】
他の手法の例は、較正状態変数の情報を表示するグラフィカルユーザインタフェースを含み得る。一例では、方法が提供される。方法は、メディア再生システムの第１再生デバイスから、第１再生デバイスが未較正であることを示す較正状態変数を受信するステップを含み得る。また、方法は、第１再生デバイスが未較正であるという情報をグラフィカルインタフェースに表示させるステップを含み得る。方法は、更に、選択時に第１再生デバイスの較正を開始する選択可能コントロールをグラフィカルインタフェースに表示させるステップ、第１再生デバイスの較正を開始するステップ、を含み得る。
【００５８】
他の例では、デバイスが提供される。デバイスは、ネットワークインタフェースと、少なくとも１つのプロセッサと、データストレージと、データストレージに記憶され、動作を行うために少なくとも１つのプロセッサにより実行可能なプログラムロジックとを含む。動作は、メディア再生システムの第１再生デバイスから、第１再生デバイスが未較正であることを示す較正状態変数を受信するステップを含み得る。また、動作は、第１再生デバイスが未較正であるという情報をグラフィカルインタフェースに表示させるステップを含み得る。動作は、更に、選択時に第１再生デバイスの較正を開始する選択可能コントロールをグラフィカルインタフェースに表示させるステップ、第１再生デバイスの較正を開始するステップ、を含み得る。
【００５９】
更に他の例では、非一時的コンピュータ読み取り可能メモリが提供される。非一時的コンピュータ読み取り可能メモリは、コンピュータにより実行可能で、コンピュータに動作を実行させる命令を記憶している。動作は、メディア再生システムの第１再生デバイスから、第１再生デバイスが未較正であることを示す較正状態変数を受信するステップを含み得る。また、動作は、第１再生デバイスが未較正であるという情報をグラフィカルインタフェースに表示させるステップを含み得る。動作は、更に、選択時に第１再生デバイスの較正を開始する選択可能コントロールをグラフィカルインタフェースに表示させるステップ、第１再生デバイスの較正を開始するステップ、を含み得る。
【００６０】
他の例では、他の非一時的コンピュータ読み取り可能媒体が提供される。非一時的コンピュータ読み取り可能媒体は、１つ又は複数のプロセッサにより実行可能で、制御デバイスに動作を実行させる命令を記憶している。動作は、メディア再生システムの第１ゾーンが未較正であることを示す較正状態変数を受信するステップを含んでよく、第１ゾーンは、１つ又は複数の第１再生デバイスを含み、メディア再生システムは、１つ又は複数のゾーンを含む。また、動作は、メディア再生システムの１つ又は複数のゾーンを列挙するゾーン制御インタフェースをグラフィカルインタフェースに表示させるステップを含んでよく、ゾーン設定インタフェースは、メディア再生システムの少なくとも１つのゾーンが未較正であるという情報を含む。動作は、更に、選択時に、ゾーン設定インタフェースをグラフィカルインタフェースに表示させる選択可能コントロールの選択を検出するステップを更に含んでよく、ゾーン設定インタフェースは、選択時に、メディア再生システムのそれぞれのゾーン用の設定インタフェースをグラフィカルインタフェースに表示させる１つ又は複数の選択可能コントロールを含む。動作は、更に、グラフィカルインタフェースに、第１ゾーンが未較正であるという情報をゾーン設定インタフェース上に表示させるステップを含み得る。動作は、更に、選択時にグラフィカルインタフェースに第１ゾーン用の設定インタフェースを表示させる、ゾーン設定インタフェース上の選択可能コントロールの選択を検出するステップ、グラフィカルインタフェースに、選択時に第１ゾーンの較正を開始する選択可能コントロールを、第１ゾーン用の設定インタフェース内に表示させるステップ、を含み得る。
【００６１】
動作は、更に、グラフィカルインタフェースに、第１ゾーンの特定の第１再生デバイスが未較正であるという情報を、第１ゾーン用の設定インタフェース内に表示させるステップを更に含み得る。
【００６２】
動作は、更に、メディア再生システムの第２ゾーンが較正済みであることを示す較正状態変数を受信するステップ、グラフィカルインタフェースに、第２ゾーンが較正済みであるという表示をゾーン設定インタフェース上に表示させるステップを含み得る。
【００６３】
動作は、更に、選択時にグラフィカルインタフェースに第２ゾーン用の設定インタフェースを表示させる、ゾーン設定インタフェース上の選択可能コントロールの選択を検出するステップ、グラフィカルインタフェースに、選択時に第２ゾーンの再較正を開始する選択可能コントロールを、第２ゾーン用の設定インタフェース内に表示させるステップ、を含み得る。
【００６４】
グラフィカルインタフェースに第１ゾーン用の設定インタフェースを表示させるステップは、第１ゾーンの動作をそれぞれ調整する複数のコントロールを含む第１ゾーン用の設定インタフェースを表示することを含み得る。
【００６５】
動作は、更に、第１ゾーンの較正後、制御デバイスに、メディア再生システムの少なくとも１つのゾーンが未較正であるという情報をゾーン設定インタフェースから除去させるステップを含み得る。
【００６６】
動作は、更に、第１ゾーンの較正後、第１ゾーンの所定の第１再生デバイスに、第１ゾーンが較正済みであることを示すように較正状態変数を更新することを命令するコマンドを送信するステップを含み得る。
【００６７】
第１ゾーンの較正を開始するステップは、選択時に、第１再生デバイスの較正を開始する選択可能コントロールの選択を検出することに基づいて、第１再生デバイスに較正音を発するように命令するコマンドを送信することを含み得る。
【００６８】
第１ゾーンの較正を開始することは、グラフィカルインタフェースに、（ｉ）所定の環境内での較正のために１つ又は複数の第１再生デバイスを準備させるプロンプト、（ｉｉ）１つ又は複数の第１再生デバイスの較正のために所定の環境を準備させるプロンプト、及び（ｉｉｉ）１つ又は複数の第１再生デバイスの較正のために制御デバイスを準備させるプロンプトを表示させることを含み得る。（ｉ）１つ又は複数の第１再生デバイスが較正のために準備されていること、（ｉｉ）１つ又は複数の第１再生デバイスの較正のために環境が準備されていること、及び（ｉｉｉ）１つ又は複数の第１再生デバイスの較正のために制御デバイスが準備されていることを示す入力データを検出した際に、選択時に１つ又は複数の第１再生デバイスの較正を開始する選択可能コントロールを表示することを含み得る。較正を開始することは、更に、選択可能コントロールの選択を示す入力データを検出した際に、１つ又は複数の第１再生デバイスの較正を開始することを含み得る。
【００６９】
更に他の例では、他の非一時的コンピュータ読み取り可能メモリが提供される。非一時的コンピュータ読み取り可能媒体は、１つ又は複数のプロセッサにより実行可能で、制御デバイスに動作を実行させる命令を記憶している。動作は、メディア再生システムの第１再生デバイスから、第１再生デバイスが未較正であることを示す較正状態変数を受信することを含んでよく、第１再生デバイスは、メディア再生システムの第１ゾーンのメンバーである。動作は、更に、第１再生デバイスが未較正であるという情報をグラフィカルインタフェースに表示させることと、選択時に第１再生デバイスの較正を開始する選択可能コントロールをグラフィカルインタフェースに表示させることとを含み得る。動作は、更に、選択時に第１再生デバイスの較正を開始する選択可能コントロールの選択を検出することに基づいて、第１再生デバイスの較正を開始することを含み得る。
【００７０】
動作は、更に、グラフィカルディスプレイに、メディア再生システムのゾーンを示すゾーン制御インタフェースを表示させるステップを含み、メディア再生システムは、１つ又は複数のゾーンを含み、第１再生デバイスが未較正であるという情報をグラフィカルインタフェースに表示させることは、第１再生デバイスが未較正であるという情報を、ゾーン制御インタフェース内に表示することを含む。
【００７１】
動作は、更に、選択時に、それぞれのゾーン用の設定インタフェースをグラフィカルインタフェースに表示させる１つ又は複数の選択可能コントロールを含むゾーン設定インタフェースをグラフィカルディスプレイに表示させるステップを含んでよく、メディア再生システムは、１つ又は複数のゾーンを含む。第１再生デバイスが未較正であるという情報をグラフィカルインタフェースに表示させるステップは、第１ゾーンが未較正であるという情報をゾーン設定インタフェース内に表示することを含み得る。
【００７２】
選択時に第１再生デバイスの較正を開始する選択可能コントロールをグラフィカルインタフェースに表示させることは、グラフィックインタフェースに第１ゾーン用の設定インタフェースを表示させることを含んでよく、設定インタフェースは、選択時に、第１再生デバイスの較正を開始する選択可能コントロールを含み、設定インタフェースは、第１ゾーンの動作を調整する複数のコントロールを含む。動作は、更に、第１再生デバイスの較正後、グラフィカルインタフェースに第１ゾーン用の設定インタフェースを表示させることを含んでよく、設定インタフェースは、選択時に第１再生デバイスの再較正を開始する選択可能コントロールを含む。
【００７３】
動作は、更に、第１再生デバイスの較正後、制御デバイスに、第１再生デバイスが未較正であるという情報をグラフィカルインタフェースから除去させるステップを含み得る。
【００７４】
動作は、更に、第１再生デバイスの較正後、第１再生デバイスに、第１ゾーンが較正済みであることを示すように較正状態変数を更新することを命令するコマンドを送信することを含み得る。
【００７５】
更に他の例では、他の非一時的コンピュータ読み取り可能メモリが提供される。非一時的コンピュータ読み取り可能媒体は、１つ又は複数のプロセッサにより実行可能で、制御デバイスに動作を実行させる命令を記憶している。動作は、メディア再生システムの第１ゾーンが較正済みであることを示す較正状態変数を受信するステップを含んでよく、第１ゾーンは１つ又は複数の第１再生デバイスを含み、メディア再生システムは、１つ又は複数のゾーンを含む。動作は、更に、メディア再生システムの１つ又は複数のゾーンを列挙するゾーン制御インタフェースをグラフィカルインタフェースに表示させるステップを含み得る。動作は、更に、選択時に、ゾーン設定インタフェースをグラフィカルインタフェースに表示させる選択可能コントロールの選択を検出するステップを含んでよく、ゾーン設定インタフェースは、選択時に、メディア再生システムのそれぞれのゾーン用の設定インタフェースをグラフィカルインタフェースに表示させる１つ又は複数の選択可能コントロールを含む。動作は、更に、選択時にグラフィカルインタフェースに第１ゾーン用の設定インタフェースを表示させる、ゾーン設定インタフェース上の選択可能コントロールの選択を検出するステップ、グラフィカルインタフェースに、選択時に第１ゾーンの較正を開始する選択可能コントロールを、第１ゾーン用の設定インタフェース内に表示させるステップ、を含み得る。
【００７６】
動作は、更に、選択時に第１ゾーンの較正を開始する選択可能コントロールの選択を検出するステップを含んでよく、第１ゾーンの較正を開始することは、グラフィカルインタフェースに、（ｉ）所定の環境内での較正のために１つ又は複数の第１再生デバイスを準備させるプロンプト、（ｉｉ）１つ又は複数の第１再生デバイスの較正のための所定の環境を準備させるプロンプト、及び（ｉｉｉ）１つ又は複数の第１再生デバイスの較正のために制御デバイスを準備させるプロンプトのうち、１つ又は複数を表示させることを含む。動作は、更に、選択時に、１つ又は複数の第１再生デバイスの較正を開始する選択可能コントロールを表示することと、選択可能コントロールの選択を示す入力データを検出した際に、１つ又は複数の第１再生デバイスの較正を開始するステップを含み得る
【００７７】
動作は、更に、メディア再生システムの第２ゾーンが未較正であることを示す較正状態変数を受信するステップ、グラフィカルインタフェースに、第２ゾーンが未較正であるという情報をゾーン設定インタフェース上に表示させるステップ、を含み得る。
【００７８】
動作は、更に、選択時にグラフィカルインタフェースに第２ゾーン用の設定インタフェースを表示させる、ゾーン設定インタフェース上の選択可能コントロールの選択を検出するステップ、グラフィカルインタフェースに、選択時に第２ゾーンの較正を開始する選択可能コントロールを、第１ゾーン用の設定インタフェース内に表示させるステップ、を含み得る。
【００７９】
本開示が他の多数の実施形態を含むことは、当業者に理解される。本開示が他の多数の実施形態を含むことは、当業者に理解される。本明細書に記載された一部の例は、「ユーザ」及び／又は他の実体等、所定の主体により実行される機能を示す場合があるが、この記載は、説明の目的のみを有することを理解されたい。特許請求の範囲自体に明示的に必要であることが記載されていない限り、こうした任意の主体による行動が必要であると解釈されるべきではない。
【００８０】
ＩＩ．動作環境の例
図１は、本明細書で開示されている１つ又は複数の実施形態で実施可能又は実装可能なメディア再生システム１００の例示的な構成を示す。図示されるように、メディア再生システム１００は、複数の部屋および空間、例えば、主寝室、オフィス、ダイニングルーム、およびリビングルームを有する例示的なホーム環境に関連付けられている。図１の例に示されるように、メディア再生システム１００は、再生デバイス１０２−１２４、制御デバイス１２６および１２８、有線又は無線のネットワークルータ１３０を含む。
【００８１】
更に、例示的なメディア再生システム１００の異なる構成要素、および異なる構成要素がどのように作用してユーザにメディア体験を提供するかに関しての説明は、以下のセクションで述べられている。本明細書における説明は、概してメディア再生システム１００を参照しているが、本明細書で述べられている技術は、図１に示されるホーム環境の用途に限定されるものではない。例えば、本明細書で述べられている技術は、マルチゾーンオーディオが望まれる環境、例えば、レストラン、モール、又は空港のような商業的環境、スポーツ用多目的車（ＳＵＶ）、バス又は車のような車両、船、若しくはボード、飛行機などの環境において有益である。
【００８２】
ａ．例示的な再生デバイス
図２は、図１のメディア再生システム１００の再生デバイス１０２−１２４の１つ又は複数を構成する例示的な再生デバイス２００の機能ブロック図を示す。再生デバイス２００は、プロセッサ２０２、ソフトウェアコンポーネント２０４、メモリ２０６、オーディオ処理コンポーネント２０８、オーディオアンプ２１０、スピーカー２１２、およびネットワークインタフェース２１４を含んでもよい。ネットワークインタフェース２１４は、無線インタフェース２１６および有線インタフェース２１８を含む。ある場合では、再生デバイス２００は、スピーカー２１２を含まないが、再生デバイス２００を外部スピーカーに接続するためのスピーカーインタフェースを含んでもよい。別の場合では、再生デバイス２００は、スピーカー２１２もオーディオアンプ２１０も含まないが、再生デバイス２００を外部オーディオアンプ又はオーディオビジュアルレシーバーに接続するためのオーディオインタフェースを含んでもよい。
【００８３】
ある例では、プロセッサ２０２は、メモリ２０６に記憶された命令に基づいて、入力データを処理するように構成されたクロック駆動コンピュータコンポーネントであってもよい。メモリ２０６は、プロセッサ２０２によって実行可能な命令を記憶するように構成された非一時的なコンピュータ読み取り可能記録媒体であってもよい。例えば、メモリ２０６は、ある機能を実行するためにプロセッサ２０２によって実行可能なソフトウェアコンポーネント２０４の１つ又は複数をロードすることができるデータストレージであってもよい。ある例では、機能は、再生デバイス２００がオーディオソース又は別の再生デバイスからオーディオデータを読み出すステップを含んでもよい。別の例では、機能は、再生デバイス２００がネットワーク上の別のデバイス又は再生デバイスにオーディオデータを送信するステップを含んでもよい。更に別の例では、機能は、マルチチャンネルオーディオ環境を作るために、再生デバイス２００と１つ又は複数の再生デバイスとをペアリングするステップを含んでもよい。
【００８４】
ある機能は、再生デバイス２００が、１つ又は複数の他の再生デバイスと、オーディオコンテンツの再生を同期するステップを含む。再生を同期している間、再生デバイス２００によるオーディオコンテンツの再生と１つ又は複数の他の再生デバイスによる再生との間の遅延を、リスナーが気づかないことが好ましい。「複数の独立クロックデジタルデータ処理デバイス間の動作を同期するシステムおよび方法」と題する米国特許第８，２３４，３９５号が本明細書に参照として援用されており、それは再生デバイス間のオーディオ再生を同期することが述べられたより詳細な例を提供している。
【００８５】
更に、メモリ２０６は、データを記憶するように構成されてもよい。データは、例えば、１つ又は複数のゾーン及び／又はゾーングループに一部として含まれる再生デバイス２００などの再生デバイス２００、再生デバイス２００によりアクセス可能なオーディオソース、又は再生デバイス２００（又は他の再生デバイス）に関連付け可能な再生キュー、に関連付けられている。データは、定期的に更新され、再生デバイス２００の状態を示す１つ又は複数の状態変数として記憶されてもよい。また、メモリ２０６は、メディアシステムの他のデバイスの状態に関連付けられたデータを含んでもよく、デバイス間で随時共有することによって、１つ又は複数のデバイスが、システムに関連するほぼ直近のデータを有することができる。他の実施形態も可能である。
【００８６】
オーディオ処理コンポーネント２０８は、１つ又は複数のデジタル−アナログ変換器（ＤＡＣ）、オーディオ処理コンポーネント、オーディオ強化コンポーネント、及びデジタルシグナルプロセッサ（ＤＳＰ）などを含んでいてもよい。ある実施形態では、１つ又は複数のオーディオ処理コンポーネント２０８は、プロセッサ２０２のサブコンポーネントであってもよい。ある実施形態では、オーディオコンテンツが、オーディオ処理コンポーネント２０８によって処理及び／又は意図的に変更されることによって、オーディオ信号を生成してもよい。生成されたオーディオ信号は、オーディオアンプ２１０に送信され、増幅され、スピーカー２１２を通じて再生される。特に、オーディオアンプ２１０は、１つ又は複数のスピーカー２１２を駆動できるレベルまでオーディオ信号を増幅するように構成されたデバイスを含んでもよい。スピーカー２１２は、独立した変換器（例えば、「ドライバ」）又は１つ又は複数のドライバを内包する筐体を含む完全なスピーカーシステムを備えてもよい。スピーカー２１２に備えられたあるドライバは、例えば、サブウーファー（例えば、低周波用）、ミドルレンジドライバ（例えば、中間周波用）、及び／又はツイーター（高周波用）を含んでもよい。ある場合では、１つ又は複数のスピーカー２１２のそれぞれの変換器は、オーディオアンプ２１０の対応する個々のオーディオアンプによって駆動されてもよい。再生デバイス２００で再生するアナログ信号を生成することに加えて、オーディオ処理コンポーネント２０８は、オーディオコンテンツを処理し、そのオーディオコンテンツを１つ又は複数の他の再生デバイスに再生させるために送信する。
【００８７】
再生デバイス２００によって処理及び／又は再生されるオーディオコンテンツは、外部ソース、例えば、オーディオライン−イン入力接続（例えば、オートディテクティング３．５ｍｍオーディオラインイン接続）又はネットワークインタフェース２１４を介して、受信されてもよい。
【００８８】
ネットワークインタフェース２１４は、データネットワーク上で再生デバイス２００と１つ又は複数の他のデバイスとの間のデータフローを可能にするように構成されてもよい。このように、再生デバイス２００は、再生デバイスと通信する１つ又は複数の他の再生デバイス、ローカルエリアネットワーク内のネットワークデバイス、又は例えば、インターネット等のワイドエリアネットワーク上のオーディオコンテンツソースから、データネットワークを介してオーディオコンテンツを受信するように構成されてもよい。ある例では、再生デバイス２００によって送信および受信されたオーディオコンテンツおよび他の信号は、インターネットプロトコル（ＩＰ）に基づくソースアドレスおよびＩＰに基づく宛先アドレスを含むデジタルパケットの形で送信されてもよい。そのような場合、ネットワークインタフェース２１４は、デジタルパケットデータを解析することによって、再生デバイス２００宛てのデータを、再生デバイス２００によって適切に受信して処理することができる。
【００８９】
図示されるように、ネットワークインタフェース２１４は、無線インタフェース２１６と有線インタフェース２１８とを含んでもよい。無線インタフェース２１６は、再生デバイス２００用のネットワークインタフェース機能を提供し、通信プロトコル（例えば、無線規格ＩＥＥＥ８０２．１１ａ、８０２．１１ｂ、８０２．１１ｇ、８０２．１１ｎ、８０２．１１ａｃ、８０２．１５、４Ｇモバイル通信基準などを含む無線基準（規格）のいずれか）に基づいて、他のデバイス（例えば、再生デバイス２００に関連付けられたデータネットワーク内の他の再生デバイス、スピーカー、レシーバー、ネットワークデバイス、制御デバイス）と無線通信してもよい。有線インタフェース２１８は、再生デバイス２００用のネットワークインタフェース機能を提供し、通信プロトコル（例えば、ＩＥＥＥ８０２．３）に基づいて他のデバイスとの有線接続を介して通信してもよい。図２に示されるネットワークインタフェース２１４は、無線インタフェース２１６と有線インタフェース２１８との両方を含んでいるが、ネットワークインタフェース２１４は、ある実施形態において、無線インタフェースのみか、又は有線インタフェースのみを含んでもよい。
【００９０】
ある例では、再生デバイス２００と他の再生デバイスとは、ペアにされて、オーディオコンテンツの２つの別々のオーディオコンポーネントを再生してもよい。例えば、再生デバイス２００は、左チャンネルオーディオコンポーネントを再生するように構成される一方、他の再生デバイスは、右チャンネルオーディオコンポーネントを再生するように構成されてもよい。これにより、オーディオコンテンツのステレオ効果を生成するか、又は強化することができる。ペアにされた再生デバイス（「結合再生デバイス」とも言う）は、更に、他の再生デバイスと同期してオーディオコンテンツを再生してもよい。
【００９１】
別の例では、再生デバイス２００は、１つ又は複数の他の再生デバイスと音響的に統合され、単一の統合された再生デバイス（統合再生デバイス）を形成してもよい。統合再生デバイスは、統合されていない再生デバイス又はペアにされた再生デバイスと比べて、サウンドの処理や再現を異なるように構成することができる。なぜならば、統合再生デバイスは、オーディオコンテンツを再生するスピーカー追加することができるからである。例えば、再生デバイス２００が、低周波レンジのオーディオコンテンツを再生するように設計されている場合（例えば、サブウーファー）、再生デバイス２００は、全周波数レンジのオーディオコンテンツを再生するように設計された再生デバイスと統合されてもよい。この場合、全周波数レンジの再生デバイスは、低周波の再生デバイス２００と統合されたとき、オーディオコンテンツの中高周波コンポーネントのみを再生するように構成されてもよい。一方で低周波レンジの再生デバイス２００は、オーディオコンテンツの低周波コンポーネントを再生する。更に、統合再生デバイスは、単一の再生デバイス、又は更に他の統合再生デバイスとペアにされてもよい。
【００９２】
例として、現在、ソノズ・インコーポレイテッドは、「ＰＬＡＹ：１」、「ＰＬＡＹ：３」、「ＰＬＡＹ：５」、「ＰＬＡＹＢＡＲ」、「ＣＯＮＮＥＣＴ：ＡＭＰ」、「ＣＯＮＮＥＣＴ」、および「ＳＵＢ」を含む再生デバイスを販売提供している。他の過去、現在、及び／又は将来のいずれの再生デバイスにおいても、追加的に又は代替的に本明細書で開示された実施例の再生デバイスに実装して使用することができる。更に、再生デバイスは、図２に示された特定の例又は提供されるソノズ製品に限定されないことは理解される。例えば、再生デバイスは、有線又は無線のヘッドホンを含んでもよい。別の例では、再生デバイスは、パーソナルモバイルメディア再生デバイス用のドッキングステーションを含むか、又は、それらと対話してもよい。更に別の例では、再生デバイスは、別のデバイス又はコンポーネント、例えば、テレビ、照明器具、又は屋内又は屋外で使用するためのいくつかの他のデバイスと一体化されてもよい。
【００９３】
ｂ．例示的な再生ゾーン構成
図１のメディア再生システムに戻って、環境は、１つ又は複数の再生ゾーンを有しており、それぞれの再生ゾーンは１つ又は複数の再生デバイスを含んでいる。メディア再生システム１００は、１つ又は複数の再生ゾーンで形成されており、後で１つ又は複数のゾーンが追加又は削除して、図１に示す例示的な構成としてもよい。それぞれのゾーンは、異なる部屋又は空間、例えば、オフィス、浴室、主寝室、寝室、キッチン、ダイニングルーム、リビングルーム、及び／又はバルコニーに基づく名前が与えられてもよい。ある場合では、単一の再生ゾーンは複数の部屋又は空間を含んでもよい。別の場合では、単一の部屋又は空間は、複数の再生ゾーンを含んでもよい。
【００９４】
図１に示されるように、バルコニー、ダイニングルーム、キッチン、浴室、オフィス、および寝室のゾーンのそれぞれは、１つの再生デバイスを有する一方、リビングルームおよび主寝室のゾーンのそれぞれは、複数の再生デバイスを有する。リビングルームゾーンは、再生デバイス１０４、１０６、１０８、および１１０が、別々の再生デバイスとしてか、１つ又は複数の結合再生デバイスとしてか、１つ又は複数の統合再生デバイスとしてか、又はこれらのいずれかの組み合わせで、オーディオコンテンツを同期して再生するように構成されてもよい。同様に、主寝室の場合では、再生デバイス１２２および１２４が、別々の再生デバイスとしてか、結合再生デバイスとしてか、又は統合再生デバイスとして、オーディオコンテンツを同期して再生するように構成されてもよい。
【００９５】
ある例では、図１の環境における１つ又は複数の再生ゾーンは、それぞれ異なるオーディオコンテンツを再生している。例えば、ユーザは、バルコニーゾーンでグリルしながら、再生デバイス１０２によって再生されるヒップホップ音楽を聞くことができる。一方、別のユーザは、キッチンゾーンで食事を準備しながら、再生デバイス１１４によって再生されるクラシック音楽を聞くことができる。別の例では、再生ゾーンは、同じオーディオコンテンツを別の再生ゾーンと同期して再生してもよい。例えば、ユーザがオフィスゾーンにいる場合、オフィスゾーンの再生デバイス１１８が、バルコニーの再生デバイス１０２で再生されている音楽と同じ音楽を再生してもよい。そのような場合、再生デバイス１０２および１１８は、ロック音楽を同期して再生しているため、ユーザは、異なる再生ゾーン間を移動してもアウト−ラウドで再生されるオーディオコンテンツをシームレス（又は少なくともほぼシームレス）に楽しむことができる。再生ゾーン間の同期は、前述の米国特許第８，２３４，３９５号で述べられているような再生デバイス間の同期と同様の方法で行ってもよい。
【００９６】
上述したように、メディア再生システム１００のゾーン構成は、動的に変更してもよく、ある実施形態では、メディア再生システム１００は、複数の構成をサポートする。例えば、ユーザが１つ又は複数の再生デバイスを、物理的にゾーンに移動させるか、又はゾーンから移動させる場合、メディア再生システム１００は変更に対応するように再構成されてもよい。例えば、ユーザが再生デバイス１０２をバルコニーゾーンからオフィスゾーンに物理的に移動させる場合、オフィスゾーンは、再生デバイス１１８と再生デバイス１０２との両方を含んでもよい。必要に応じて、制御デバイス、例えば制御デバイス１２６と１２８とを介して、再生デバイス１０２が、ペアにされるか、又はオフィスゾーンにグループ化されるか、及び／又はリネームされてもよい。一方、１つ又は複数の再生デバイスが、再生ゾーンを未だ設定していないホーム環境において、ある領域に移動させられた場合、新しい再生ゾーンがその領域に形成されてもよい。
【００９７】
更に、メディア再生システム１００の異なる再生ゾーンは、動的にゾーングループに組み合わされてもよいし、又は別々の再生ゾーンに分割されてもよい。例えば、ダイニングルームゾーンとキッチンゾーン１１４とがディナーパーティ用のゾーングループに組み合わされることによって、再生デバイス１１２と１１４とがオーディオコンテンツを同期して再生することができる。一方、あるユーザがテレビを見たい一方、他のユーザがリビングルーム空間の音楽を聞きたい場合、リビングルームゾーンが、再生デバイス１０４を含むテレビゾーンと、再生デバイス１０６、１０８および１１０を含むリスニングゾーンと、に分けられてもよい。
【００９８】
ｃ．例示的な制御デバイス
図３は、メディア再生システム１００の制御デバイス１２６及び１２８のうちの一方又は両方を構成する例示的な制御デバイス３００の機能ブロック図を示す。制御デバイス３００は、コントローラ３００とも称する場合がある。図示されるように、制御デバイス３００は、プロセッサ３０２、メモリ３０４、ネットワークインタフェース３０６、およびユーザインタフェース３０８を含んでもよい。ある例では、制御デバイス３００は、メディア再生システム１００専用の制御デバイスであってもよい。別の例では、制御デバイス３００は、メディア再生システムコントローラアプリケーションソフトウェアがインストールされたネットワークデバイス、例えば、ｉＰｈｏｎｅ（登録商標）、ｉＰａｄ（登録商標）、又は任意の他のスマートフォン、タブレットあるいはネットワークデバイス（例えば、ＰＣ又はＭａｃ（登録商標）などのネットワークコンピュータ）であってもよい。
【００９９】
プロセッサ３０２は、メディア再生システム１００のユーザアクセス、コントロール、および構成を可能にすることに関する機能を実行するように構成されてもよい。メモリ３０４は、プロセッサ３０２によって実行可能な命令を記憶し、それらの機能を実行するように構成されてもよい。また、メモリ３０４は、メディア再生システムコントローラアプリケーションソフトウェアと、メディア再生システム１００とユーザとに関連付けられた他のデータを記憶するように構成されてもよい。
【０１００】
ある例では、ネットワークインタフェース３０６は、工業規格（例えば、赤外線、無線、ＩＥＥＥ８０２．３などの有線規格、ＩＥＥＥ８０２．１１ａ、８０２．１１ｂ、８０２．１１ｇ、８０２．１１ｎ、８０２．１１ａｃ、８０２．１５などの無線規格、４Ｇ通信規格など）に基づいてもよい。ネットワークインタフェース３０６においては、制御デバイス３００がメディア再生システム１００内の他のデバイスと通信するための手段を提供してもよい。ある例では、データおよび情報（例えば、状態変数）は、ネットワークインタフェース３０６を介して制御デバイス３００と他のデバイスとの間で通信されてもよい。例えば、メディア再生システム１００における再生ゾーンおよびゾーングループの構成は、制御デバイス３００によって、再生デバイス又は別のネットワークデバイスから受信されてもよいし、あるいは制御デバイス３００によって、ネットワークインタフェース３０６を介して別の再生デバイス又はネットワークデバイスに送信されてもよい。ある場合では、他のネットワークデバイスは、別の制御デバイスであってもよい。
【０１０１】
ボリュームコントロールおよびオーディオ再生コントロールなどの再生デバイス制御コマンドは、ネットワークインタフェース３０６を介して制御デバイス３００から再生デバイスに通信されてもよい。上述したように、メディア再生システム１００の構成の変更は、ユーザにより制御デバイス３００を用いて行うことができる。構成の変更は、１つ又は複数の再生デバイスをゾーンに追加すること、１つ又は複数の再生デバイスをゾーンから取り除くこと、１つ又は複数のゾーンをゾーングループに追加すること、１つ又は複数のゾーンをゾーングループから取り除くこと、結合プレーヤー又は統合プレーヤーを形成すること、結合プレーヤー又は統合プレーヤーから１つ又は複数の再生デバイスに分けることなどを含んでもよい。このように、制御デバイス３００は、コントローラと呼ばれてもよく、制御デバイス３００は、メディア再生システムコントローラアプリケーションソフトウェアをインストールした専用のコントローラか、又はネットワークデバイスであってもよい。
【０１０２】
制御デバイス３００のユーザインタフェース３０８は、図４に示されるコントローラインタフェース４００Ａなどのようなコントローラインタフェースを提供することによって、メディア再生システム１００のユーザアクセスおよび制御を可能にするように構成されてもよい。コントローラインタフェース４００Ａは、再生制御領域４１０、再生ゾーン領域４２０、再生ステータス領域４３０、再生キュー領域４４０、およびオーディオコンテンツソース領域４５０を含む。図示されるユーザインタフェース４００は、図３の制御デバイス３００などのようなネットワークデバイス（及び／又は図１の制御デバイス１２６および１２８）を設けられたユーザインタフェースの単なる一例であって、ユーザによってメディア再生システム１００などのようなメディア再生システムを制御するためにアクセスされるものである。あるいは、様々なフォーマット、スタイル、および対話型シーケンスを他のユーザのインタフェースを１つ又は複数のネットワークデバイスに実装し、メディア再生システムへ類似の制御アクセスを提供してもよい。
【０１０３】
再生制御領域４１０は、（例えば、タッチ又はカーソルを用いることで）選択可能なアイコンを含んでもよい。このアイコンによって、選択された再生ゾーン又はゾーングループ内の再生デバイスが、再生又は停止、早送り、巻き戻し、次にスキップ、前にスキップ、シャッフルモードのオン／オフ、リピートモードのオン／オフ、クロスフェードモードのオン／オフを行う。再生制御領域４１０は、別の選択可能なアイコンを含んでもよい。別の選択可能なアイコンは、イコライゼーション設定、再生ボリュームなど他の設定などを変更してもよい。
【０１０４】
再生ゾーン領域４２０は、メディア再生システム１００内の再生ゾーンの表示を含んでもよい。ある実施形態では、再生ゾーンのグラフィック表示が選択可能であってもよい。追加の選択可能なアイコンを移動させることによって、メディア再生システム内の再生ゾーンを管理又は構成することができる。例えば、結合ゾーンの作成、ゾーングループの作成、ゾーングループの分割、およびゾーングループのリネームなど他の管理又は構成を行うことができる。
【０１０５】
例えば、図示されるように、「グループ」アイコンは、再生ゾーンのグラフィック表示のそれぞれに設けられてもよい。あるゾーンのグラフィック表示内の「グループ」アイコンは、メディア再生システム内の１つ又は複数のゾーンを選択して、あるゾーンとグループ化するオプションを出せるように選択可能であってもよい。一度グループ化すると、あるゾーンとグループ化されたゾーン内の再生デバイスは、あるゾーン内の再生デバイスと同期してオーディオコンテンツを再生するように構成される。同様に、「グループ」アイコンは、ゾーングループのグラフィック表示内に設けられてもよい。この場合、「グループ」アイコンは、ゾーングループ内の１つ又は複数のゾーンをゾーングループから取り除くために、ゾーングループ内の１つ又は複数のゾーンを選択から外すというオプションを出すように選択可能であってもよい。ユーザインタフェース４００等のユーザインタフェースを介してゾーンをグループ化およびグループ解除するための他の対話をすることも可能であるし、実施することも可能である。再生ゾーン領域４２０内の再生ゾーンの表示は、再生ゾーン又はゾーングループ構成が変更されると、動的に更新されてもよい。
【０１０６】
再生ステータス領域４３０は、現在再生されているオーディオコンテンツ、前に再生されたオーディオコンテンツ、又は選択された再生ゾーン又はゾーングループ内で次に再生するように予定されているオーディオコンテンツ、のグラフィック表示を含んでもよい。選択可能な再生ゾーン又は再生グループは、ユーザインタフェース上で、例えば、再生ゾーン領域４２０及び／又は再生ステータス領域４３０内で視覚的に区別されてもよい。グラフィック表示は、トラックタイトル、アーティスト名、アルバム名、アルバム年、トラックの長さ、およびメディア再生システムを、ユーザインタフェース４００Ａを介して制御するときに、ユーザにとって有益な他の関連情報を含んでもよい。
【０１０７】
再生キュー領域４４０は、選択された再生ゾーン又はゾーングループに関連付けられた再生キュー内のオーディオコンテンツのグラフィック表示を含んでもよい。ある実施形態では、それぞれの再生ゾーン又はゾーングループは、再生ゾーン又は再生グループによって再生される０以上のオーディオアイテムに対応する情報を含む再生キューに関連付けられてもよい。例えば、再生キュー内のそれぞれのオーディオアイテムは、ユー・アール・アイ（ＵＲＩ）、ユー・アール・エル（ＵＲＬ）、又は再生ゾーン又はゾーングループ内の再生デバイスによって使用可能な他の識別子を含んでもよい。これらによって、ローカルオーディオコンテンツソース又はネットワークオーディオコンテンツソース、からオーディオアイテムを見つけ、及び／又は取り出し、再生デバイスによって再生することができる。
【０１０８】
ある例では、プレイリストが再生キューに追加されてもよい。この場合、プレイリスト内のそれぞれのオーディオアイテムに対応する情報が再生キューに追加されてもよい。別の例では、再生キュー内のオーディオアイテムは、プレイリストとして保存されてもよい。更に別の例では、再生デバイスがストリーミングオーディオコンテンツ、例えば、再生時間を有することで連続して再生されないオーディオアイテムよりも、停止しない限り連続して再生されるインターネットラジオを再生し続けているとき、再生キューは、空であってもよいし、又は「未使用」であるが埋められていてもよい。別の実施形態では、再生キューは、インターネットラジオ及び／又は他のストリーミングオーディオコンテンツアイテムを含むことができ、且つ再生ゾーン又はゾーングループがそれらのアイテムを再生しているとき「未使用」とすることができる。他の例も可能である。
【０１０９】
再生ゾーン又はゾーングループが「グループ化される」か、又は「グループ解除」されるとき、影響を受ける再生ゾーン又はゾーングループに関連付けられた再生キューは、クリアされてもよいし、又は再び関連付けられてもよい。例えば、第１再生キューを含む第１再生ゾーンが、第２再生キューを含む第２再生ゾーンとグループ化された場合、形成されたゾーングループは、関連付けられた再生キューを有してもよい。関連付けられた再生キューは、最初は空であるか、（例えば、第２再生ゾーンが第１再生ゾーンに追加された場合、）第１再生キューのオーディオアイテムを含むか、（例えば、第１再生ゾーンが第２再生ゾーンに追加された場合、）第２再生キューのオーディオアイテムを含むか、又は第１再生キューと第２再生キューとの両方のオーディオアイテムを組み合わせられる。その後、形成されたゾーングループがグループ解除された場合、グループ解除された第１再生ゾーンは、前の第１再生キューと再び関連付けられてもよいし、空の新しい再生キューに関連付けられてもよいし、あるいはゾーングループがグループ解除される前にゾーングループに関連付けられていた再生キューのオーディオアイテムを含む新しい再生キューに関連付けられてもよい。同様に、グループ解除された第２再生ゾーンは、前の第２再生キューと再び関連付けられてもよいし、空の新しい再生キューに関連付けられてもよいし、あるいはゾーングループがグループ解除される前にゾーングループに関連付けられていた再生キューのオーディオアイテムを含む新しい再生キューに関連付けられてもよい。
【０１１０】
図４のユーザインタフェース４００Ａに戻って、再生キュー領域４４０内のオーディオコンテンツのグラフィック表示は、トラックタイトル、アーティスト名、トラックの長さ、および再生キュー内のオーディオコンテンツに関連付けられた他の関連情報を含んでもよい。ある例では、オーディオコンテンツのグラフィック表示は、追加の選択可能なアイコンを選択して移動させることができる。これにより、再生キュー及び／又は再生キューに表示されたオーディオコンテンツを管理及び／又は編集することができる。例えば、表示されたオーディオコンテンツは、再生キューから取り除いてもよいし、再生キュー内の異なる位置に移動させてもよいし、すぐに再生させるか若しくは現在再生しているオーディオコンテンツの後に再生するように選択されてもよいし、あるいは他の動作を実行してもよい。再生ゾーン又はゾーングループに関連付けられた再生キューは、再生ゾーン又はゾーングループ内の１つ又は複数の再生デバイスのメモリ、再生ゾーン又はゾーングループに入っていない再生デバイスのメモリ、及び／又は他の指定のデバイスのメモリに記憶されていてもよい。そのような再生キューの再生は、連続的又はランダムな順序でキューのメディアアイテムを再生する１つ又は複数の再生デバイスを含んでもよい。
【０１１１】
オーディオコンテンツソース領域４５０は、選択可能なオーディオコンテンツソースのグラフィック表示を含んでいてもよい。このオーディオコンテンツソースにおいては、オーディオコンテンツが選択された再生ゾーン又はゾーングループによって取り出され、再生されてもよい。オーディオコンテンツソースに関する説明は、以降のセクションを参照することができる。
【０１１２】
ｄ．例示的なオーディオコンテンツソース
前回図示したように、ゾーン又はゾーングループ内の１つ又は複数の再生デバイスは、再生するオーディオコンテンツを、（例えば、オーディオコンテンツの対応するＵＲＩ又はＵＲＬに基づいて、）複数の入手可能なオーディオコンテンツソースから取り出すように構成されてもよい。ある例では、オーディオコンテンツは、再生デバイスによって、対応するオーディオコンテンツソース（例えば、ライン−イン接続）から直接取り出されてもよい。別の例では、オーディオコンテンツは、１つ又は複数の他の再生デバイス若しくはネットワークデバイスを介してネットワーク上の再生デバイスに提供されてもよい。
【０１１３】
例示的なオーディオコンテンツソースは、メディア再生システム内の１つ又は複数の再生デバイスのメモリを含んでもよい。メディア再生システムとしては、例えば、図１のメディア再生システム１００、１つ又は複数のネットワークデバイス上のローカルミュージックライブラリ（例えば、制御デバイス、ネットワーク対応のパーソナルコンピュータ、又はネットワーク接続ストレージ（ＮＡＳ）など）、インターネット（例えば、クラウド）を介してオーディオコンテンツを提供するストリーミングオーディオサービス、あるいは再生デバイス又はネットワークデバイスのライン−イン入力接続を介してメディア再生システムに接続されるオーディオソース、他の可能なシステムであってもよい。
【０１１４】
ある実施形態では、オーディオコンテンツソースは、図１のメディア再生システム１００などのようなメディア再生システムに定期的に追加されてもよいし、定期的に取り除かれてもよい。ある例では、１つ又は複数のオーディオコンテンツソースが追加される、取り除かれる、又は更新される度に、オーディオアイテムのインデックス付けが行われてもよい。オーディオアイテムのインデックス付けは、ネットワーク上で共有される全てのフォルダ／ディレクトリ内の識別可能なオーディオアイテムをスキャンすることを含んでもよい。ここで、ネットワークは、メディア再生システム内の再生デバイスによってアクセス可能である。また、オーディオアイテムのインデックス付けは、メタデータ（例えば、タイトル、アーティスト、アルバム、トラックの長さなど）と他の関連情報とを含むオーディオコンテンツデータベースを作成すること、又は更新すること、を含んでもよい。他の関連情報とは、例えば、それぞれの識別可能なオーディオアイテムを見つけるためのＵＲＩ又はＵＲＬを含んでもよい。オーディオコンテンツソースを管理し、且つ維持するための他の例も可能である。
【０１１５】
次に幾つかの実施の例へ進むと、図５及び図９に示す方法５００及び９００は、それぞれ、本明細書に記載の手法の実施形態例を提示している。これらの実施形態例は、例えば、図１のメディア再生システム１００、図２の再生デバイス２００の１つ又は複数、又は図３の制御デバイス３００の１つ又は複数を含む動作環境内で実施することができる。更に、メディア再生システムにより実行されるものとして例示した動作は、メディア再生システムの再生デバイス又は制御デバイス等の任意の適切なデバイスにより実行することができる。方法５００及び９００は、図５及び図９に示した１つ又は複数のブロックが示すような１つ又は複数の動作、機能、又は行動を含み得る。ブロックは、連続した順序で例示されているが、これらのブロックは、並行して及び／又は本明細書に記載のものとは異なる順序で、実行してよい。また、様々なブロックを、所望の実施に基づいて、少数のブロックに結合しても、追加のブロックに分割しても、及び／又は除去してもよい。
【０１１６】
加えて、本明細書に開示した実施において、フローチャートは、本実施形態の可能な一実施の機能及び動作を示す。これに関して、各ブロックは、プロセスの特定の論理機能又はステップを実施するためにプロセッサにより実行可能な１つ又は複数の命令を含むモジュール、セグメント、又はプログラムコードの一部を表し得る。プログラムコードは、例えば、ディスク又はハードドライブを含む記憶デバイス等、任意のタイプのコンピュータ読み取り可能な媒体に記憶し得る。コンピュータ読み取り可能な媒体は、例えば、レジスタメモリ、プロセッサキャッシュ、及びランダムアクセスメモリ（ＲＡＭ）のようなデータを短期間記憶するコンピュータ読み取り可能な媒体等の非一時的コンピュータ読み取り可能媒体を含み得る。また、コンピュータ読み取り可能な媒体は、例えば、リードオンリメモリ（ＲＯＭ）、光学ディスク又は磁気ディスク、コンパクトディスクリードオンリメモリ（ＣＤ−ＲＯＭ）のような二次又は持続的長期ストレージ等の非一時的媒体を含み得る。コンピュータ読み取り可能な媒体は、他の任意の揮発性又は不揮発性ストレージシステムであってもよい。コンピュータ読み取り可能な媒体は、例えば、コンピュータ読み取り可能な記憶媒体、又はタンジブルな記憶デバイスと考え得る。加えて、本明細書に開示された実施において、各ブロックは、プロセス内の特定の論理機能を実行するように配線された回路を表し得る。
【０１１７】
ＩＩＩ．較正状態変数を維持する手法の例
上述したように、本明細書に記載の実施形態は、較正状態変数（Ｃａｌｉｂｒａｔｉｏｎ  Ｓｔａｔｅ  Ｖａｒｉａｂｌｅ）を含み得る。図５は、較正状態変数を更新し、較正状態変数が示す較正状態を他のデバイスと共有する方法５００の例を示す。
【０１１８】
ａ．第１再生デバイスが較正済みであるという情報を受信
ブロック５０２において、方法５００は、第１再生デバイスが較正済み（キャリブレーション済み）であるという情報を受信することを含む。例えば、第１再生デバイス（例えば、図１に示したメディア再生システム１００の再生デバイス１０２〜１２４のうちの１つ）は、ネットワークインタフェースを介して、第１再生デバイスが較正済みであるという情報を受信し得る。情報は、他の再生デバイス（例えば、メディア再生システム１００の再生デバイス１０２〜１２４のうちの他の再生デバイス）から、又は制御デバイス（例えば、制御デバイス１２６又は１２８）から、第１再生デバイスに送信してよく、他の例も考えられる（例えば、リモートサーバ）。
【０１１９】
再生デバイスの較正（キャリブレーション）は、再生デバイスのスピーカー（例えば、チャネル）の１つ又は複数の音響パラメータを、所定の環境内のそれらのスピーカーの音響特性を改善するために調整することを含み得る。例えば、較正プロファイルは、所定の環境の音響をオフセットして、その環境で所望の応答（例えば、恐らくは特定音周波数をブースト又はカットするイコライゼーションにより調整されたフラットな応答）を生成し得る。所定の環境内の特定位置における再生デバイスに対する較正プロファイルを決定するために、再生デバイスは、恐らくは制御デバイスと共に、較正手順を実行し得る。例えば、幾つかの較正手順の例には、音波（例えば、１つ又は複数の較正音）を発生させるメディア再生システムの再生デバイスと、発生した音波を検出及び分析するメディア再生システムの制御デバイスとが含まれる。
【０１２０】
一例として、図１を参照すると、メディア再生システム１００の再生デバイス１２２は、恐らくは再生デバイス１２２が発した較正音を検出し分析する制御デバイス１２６により、このような手順を用いて較正し得る。較正手順実行後、制御デバイス１２６は、再生デバイス１２２が較正済みであるという情報を、再生デバイス１２２に対して、ネットワークインタフェースを介して送信し得る。再生デバイス１２２は、デバイス自体のインタフェースを介して、制御デバイス１２６から情報を受信し得る。一部の実施形態において、情報は、恐らくは主寝室環境の音響特性をオフセットするために、再生デバイス１２２のイコライゼーションを調整する１つ又は複数の較正値を示す較正プロファイルを含み得る。
【０１２１】
他の例として、再び図１を参照すると、再生デバイス１２２は、再生デバイス１２２が較正済みであるという情報を、再生デバイス１２４等のメディア再生システム１００の他の再生デバイスから受信し得る。再生デバイス１２４は、再生デバイス１２２の較正状態を示す較正状態変数を記憶し得る。再生デバイス１２４は、再生デバイス１２２が電源オンされたことを検出した際に、又は定期的な（例えば、周期的な）送信の一部として等、様々な状況において、この較正状態の情報を再生デバイスに送信し得る。
【０１２２】
他の例として、再生デバイス１２２は、再生デバイス１２２が較正済みであるという情報をリモートサーバから受信し得る。このようなリモートサーバは、メディア再生システム１００にクラウドサービスを提供することに関与し得る。クラウドサービスは、メディア再生システム１００の再生デバイス１０２〜１２４の較正状態を示す較正状態変数を維持し得る。クラウドサービスは、恐らくは他の家庭にある他のメディア再生システムの較正状態を示す較正状態変数も記憶する場合がある。
【０１２３】
ｂ．第１再生デバイスが較正済みであることを示すように較正状態変数を構成
再び図５を参照すると、ブロック５０４において、方法５００は、第１再生デバイスが較正済みであることを示すように較正状態変数を構成することを含む。例えば、図１を参照すると、再生デバイス１２２は、再生デバイス１２２の較正状態を示す較正状態変数をデータストレージ内（例えば、図２に示す再生デバイス２００のメモリ２０６等のデータストレージ内）に記憶し得る。再生デバイス１２２は、再生デバイス１２２の較正状態（例えば、再生デバイス１２２が較正済みであること、又は再生デバイス１２２が未較正（キャリブレーションしていない）であること）を示すように、その較正状態変数を構成し得る。一部の実施形態において、再生デバイス１２２は、再生デバイス１２２が再生デバイス１２２の較正状態の情報（及び恐らくは更に他の再生デバイスの較正状態）を受信したときに、恐らくは較正状態の情報が状態変数を更新する命令を含み得ることから、このような状態変数を更新し得る。
【０１２４】
図６は、図１のメディア再生システム１００の再生デバイスと、１つ又は複数の較正状態変数として記憶し得る、それぞれの較正状態とを示すテーブル６００を示す。この例では、メディア再生システム１００の再生デバイスは、それぞれ特定の環境（例えば、ゾーン）に対して較正される。このような較正状態は、１つ又は複数の較正状態変数として記憶し得る。較正状態変数等の状態変数は、更に、再生デバイスが最後に較正された時間の情報と、場合により最後の較正時の結合ゾーン構成とを記憶し得る。図６には示していないが、表６００が表す較正状態を示す較正状態変数は、更に、恐らくはそれぞれの環境の音響特性をオフセットするために、再生デバイスのイコライゼーションを調整する１つ又は複数の較正値を示す較正プロファイルも含み得る。
【０１２５】
再生デバイスの較正状態を示す較正状態変数は、メディア再生システムにアクセス可能な様々なデバイスに記憶し得る。例えば、場合により、メディア再生システム自体が、恐らくはメディア再生システムの１つ又は複数の再生デバイス又は制御デバイスのデータストレージに、恐らくはデータベース又はテーブルを使用して、状態変数を記憶してもよい。又は、リモートサーバ（例えば、クラウドサービスを提供するサーバ）が、状態変数を記憶してもよい。他の例も可能である。
【０１２６】
例の中で、較正状態変数は、様々な構成を用いてメディア再生システム全体で維持してもよい。例えば、一部の例において、メディア再生システムの各再生デバイスは、メディア再生システムの他の再生デバイスの較正状態を示す較正状態変数を記憶し得る。又は、所定のデバイスは、メディア再生システムの較正状態変数のサブセットを記憶し得る。例えば、図６を参照すると、リビングルームゾーンのデバイスは、リビングルームゾーンに属する再生デバイスの較正状態を示す較正状態変数を記憶し得る。
【０１２７】
ｃ．第１再生デバイスが未較正となったことを示すトリガ条件を検出
図５では、ブロック５０６において、方法５００は、第１再生デバイスが未較正となったことを示すトリガ条件を検出することを含む。例えば、図１を参照すると、再生デバイス１２２は、再生デバイス１２２が未較正となったことを示すトリガ条件を検出し得る。幾つかの例として、環境の変化、デバイスの物理的位置若しくは配向性、又はデバイスの構成の変化を契機として、較正状態が失われる場合がある。
【０１２８】
一部の例において、第１再生デバイスを示すトリガ条件を検出することは、第１再生デバイスのゾーン構成を変更するコマンドを受信することを含み得る。例えば、再び図１を参照すると、制御デバイス１２６等の制御デバイスは、再生デバイス１２２に、そのゾーン構成を変更するように命令するコマンドを送信し得る。再生デバイスのゾーン構成に対する様々な変更は、再生デバイスが較正済みではなくなったことを示す場合がある。
【０１２９】
図７は、図１のメディア再生システム１００の他の構成例である、メディア再生システム７００の例を示す。図１と比較して、特定の再生デバイスは、家庭内で移動又は再構成されている。後述するように、このような変化は、較正状態の喪失を示し得る。
【０１３０】
例の中で、第１再生デバイスが未較正となったことを示すトリガ条件を検出することは、第１再生デバイスを結合ゾーンに参加（又は離脱）させるコマンドを受信することを含み得る。例えば、図７を参照すると、再生デバイス１１２は、第２デバイス（即ち、再生デバイス１１４）をステレオペアの第２チャンネルとして含むステレオペアの第１チャンネルとして、キッチンゾーンに参加するように再生デバイス１１２に命令するコマンドを制御デバイス１２８から受信し得る。再生デバイス１１２は、単独での動作と比較して、ステレオペアのチャネルとして異なる動作をしてよく、ステレオペアへの参加又は離脱は、較正の喪失を引き起こす場合がある。較正済みとなるために、再生デバイス１１２及び１１４は、ステレオペアとして較正手順を実行し得る。他のコマンドは、再生デバイス１１２に、再生デバイス１１４との結合ゾーン構成（即ち、ステレオペア）から結合解除するように命令する場合があり、これにより較正状態の喪失が再び生じる可能性がある。
【０１３１】
サブウーファー等の一部の再生デバイスは、特定の周波数範囲を出力し得るため、このような再生デバイスが結合ゾーン構成に参加又は離脱すると較正状態に影響する場合がある。例えば、図７を参照すると、リビングルームゾーンは、低周波数を出力する再生デバイス１１０（即ち、サブウーファー）と、中高周波数を出力する再生デバイス１０４、１０６、及び１０８とを含む。再生デバイス１１０がリビングルームゾーンを離脱する場合、このような変更は、ゾーンからのサブウーファーの除去が低周波数を含む範囲全体で再生デバイス１０４、１０６、及び１０８を再較正するべきであることを示唆し得ることから、再生デバイス１０４、１０６、及び１０８が未較正となったことを示す場合がある。
【０１３２】
一部の実施形態では、再生デバイスには、再生デバイスが属する特定のゾーンに対応する特定の名前が割り当てられてもよい。このような変更から再生デバイスが異なるゾーンに移動したと推定し得ることから、この特定の名前の変更により、較正状態の喪失が生じる場合がある。例えば、図７を参照すると、再生デバイス１１８は、オフィスゾーンからバルコニーゾーンに移動させ得る。再生デバイス１１８をバルコニーゾーンの一部として動作させるために、制御デバイス１２８等の制御デバイスは、再生デバイス１１８にバルコニーゾーンに参加するように命令するコマンドを送信し、これにより再生デバイス１１８に割り当てられた名前をオフィスからバルコニーに変更し得る。他の例において、制御デバイスは、再生デバイスに新たなゾーン（例えば、私室ゾーン）を形成させるコマンドを再生デバイスに送信し、これにより新たなゾーンの名前を反映するように再生デバイスの名前を変更し得る。このような再生デバイスのゾーンの変更は、この新しいゾーンに対応する環境内で再生デバイスを較正することを示唆し得る。
【０１３３】
上述したように、再生デバイスを回転又は移動させることにより、その再生デバイスが環境内でどのように聞こえるかが変化し得るため、物理的位置又は配向性の変更は、較正の喪失を引き起こす場合がある。例えば、再生デバイスが部屋の中心を向いているとき、その再生デバイスは、通常、デバイスが壁を向いているときとは異なって聞こえる。一部の実施形態において、再生デバイスは、再生デバイスの物理的配向性の変更を検出する１つ又は複数のセンサ（例えば、加速度計）を含み得る。このようなセンサは、更に環境内の再生デバイスの物理的位置の変更を検出してもよい。例示のために、図７において、再生デバイス１２２及び１２４は、図１に示した物理的配向性に対して回転されている。このような物理的回転が閾値回転を超えたこと（例えば、１５度より大きいこと）を１つ又は複数のセンサにより検出することにより、再生デバイス１２２及び／又は再生デバイス１２４が未較正となったことを示し得る。反響定位等の他の位置決め手法を用いて、物理的配向性又は位置の変更を検出してもよい。
【０１３４】
他の例では、再生デバイス上でのコントローラ構成の変更が、再生デバイスが較正を失ったことを示し得る。例えば、再生デバイスは、工場出荷時の設定にリセットするように再生デバイスに命令するコマンドを受信してよく、これにより以前の較正を消去し得る。他の例として、再生デバイスは、再生デバイスに較正済み状態を喪失させる、以前の較正の消去及び／又は再生デバイスの動作の仕方の変更等の様々な効果を有し得るソフトウェア更新を受信してもよい。
【０１３５】
制御デバイスの例に関して上述したように、メディア再生システムの制御デバイスは、そのメディア再生システム内の再生デバイスの動作を制御するために、コントロールを含むグラフィカルユーザインタフェースを表示し得る。特定のコントロールは、再生デバイスが未較正となったことを示し得る。例えば、コントローラインタフェースは、再生デバイスが他の物理的位置に移動されたかの情報を要求するプロンプトを表示し得る。再生デバイスが移動されたことを示すコントロールの選択を検出することは、再生デバイスが未較正となったことを示し得る。このようなユーザインタフェースは、較正状態の喪失の契機となり得る、再生デバイスによるゾーンへの参加又は結合ゾーン構成の形成等の様々な構成変更をもたらすコントロールを含んでもよい。
【０１３６】
ｄ．第１再生デバイスが未較正であることを示すように較正状態変数を更新
再び図５を参照すると、ブロック５０８において、方法５００は、第１再生デバイスが未較正であることを示すように較正状態変数を更新することを含む。上述したように、図１の再生デバイス１２２等の再生デバイスは、データストレージ（例えば、図２に示す再生デバイス２００のメモリ２０６等のデータストレージ）に、その較正状態を示す較正状態変数を記憶し得る。新たな較正状態の情報を受信すると、再生デバイスは、新しい較正状態を示すように較正状態を更新し得る。
【０１３７】
例えば、第１再生デバイスが未較正となったことを示すトリガ条件を検出することに基づいて、第１再生デバイスは、第１再生デバイスが未較正であることを示すように較正状態変数を更新し得る。このような較正状態変数を更新することは、トリガが検出されたときに再生デバイスが較正状態変数を更新するようなトリガを検出することに応答してもよい。
【０１３８】
図８は、図７のメディア再生システム１００の再生デバイスと、１つ又は複数の較正状態変数として記憶し得る、それぞれの較正状態とを示すテーブル８００を示す。テーブル８００は、再生デバイスにより記憶された較正状態変数が、図１と比較して図７に示したメディア再生システム１００で行われた変更に基づいて、どのように更新され得るかを表している。図示したように、再生デバイス１０２及び１１８は、再生デバイス１１８がバルコニーゾーンに移動され、再生デバイス１０２とのステレオペアに結合されると、未較正となる場合がある。再生デバイス１１０も、リビングルームゾーンを離脱するように命令されると、未較正となる場合がある。再生デバイス１１２及び１１４は、ステレオペアとして連結したときに未較正となり、ステレオペアを分離して、再生デバイスを元のゾーンに戻したときに未較正のままとなる場合がある。加えて、再生デバイス１２２及び１２４は、回転させたときに未較正となり得る。このような較正状態の変化を示すトリガ条件を検出することに基づいて、図８に示すように、このような状態を表す較正状態変数を更新して較正状態の変化を反映し得る。
【０１３９】
再生デバイスが新しい位置及び／又は構成に対して再較正された後、較正状態変数は、再生デバイスが較正済みであることを示すように更新し得る。例えば、再生デバイス１２２及び１２４は、制御デバイス１２６により較正手順を実行し得る。制御デバイス１２６は、再生デバイス１２２及び１２４に較正プロファイルを送信し、再生デバイスに対して、現在の較正状態を示すように較正状態変数を更新することを命令し得る。また、再生デバイスは、最後の較正の時間と、最後の較正中の再生デバイスの結合ゾーン構成とを示すように、状態変数を更新し得る。
【０１４０】
ｅ．更新された較正状態変数の情報を第２デバイスに送信
図５では、ブロック５１０において、方法５００は、更新された状態変数の情報を第２デバイスに送信することを含む。例えば、再生デバイス１２２は、更新された状態変数の情報を、再生デバイス１２４等の第２再生デバイスに、又は制御デバイス１２６及び／又は１２８等の制御デバイスに、送信し得る。このような情報を第２デバイスに送信することにより、第１再生デバイスは、現在の較正状態を第２デバイス（群）と共有し得る。
【０１４１】
上述したように、場合により、第１再生デバイスは、更新された状態変数の情報を第２再生デバイスに送信し得る。一部の実施形態では、このような情報を送信することは、第２再生デバイスに、第２再生デバイスに記憶された状態変数を更新させる命令を送信することを含み得る。例えば、再生デバイス１２２は、再生デバイス１２２が未較正である（又は、状況に応じて、再生デバイス１２２が較正済みである）ことを示すように、再生デバイス１２４に記憶された状態変数を再生デバイス１２４に更新させる命令を送信し得る。更に、場合により、再生デバイス１２２は、追加の再生デバイス（例えば、１つ又は複数の再生デバイス１０２〜１２０）に対して、これらの再生デバイスにそれぞれの較正状態変数を更新させる命令を送信し得る。このような共有は、複数のデバイス全体で再生デバイスの現在の較正状態を維持するのに役立つ場合がある。実施形態例において、第１再生デバイスは、周期的に、又は、恐らくは所定の再生デバイスの較正状態に対する第２デバイスからのクエリに応答して、較正状態を送信し得る。
【０１４２】
一部の例において、第１再生デバイスは、第２再生デバイスの較正状態を示す較正状態変数を記憶し得る。例えば、第２再生デバイスが較正済みである（又は未較正である）という情報を受信した後、第１再生デバイスは、第２再生デバイスが較正済みであることを示すように較正状態変数を更新し得る。第１再生デバイスは、第２再生デバイスの較正状態を、制御デバイス又は他の再生デバイス等、他のデバイスと共有し得る。
【０１４３】
また、上述したように、第１再生デバイスは、更新された状態変数の情報を制御デバイスに送信し得る。例えば、再生デバイス１２２は、更新された状態変数の情報を、制御デバイス１２６及び／又は制御デバイス等の１つ又は複数の制御デバイスに送信し得る。このような情報により、制御デバイスは、再生デバイスの更新された較正状態（例えば、その再生デバイス１２２が未較正であること）を示すように、表示されたインタフェースを更新し得る。
【０１４４】
例の中で、第１再生デバイスは、較正状態に追加して、情報を１つ又は複数の第２デバイスと共有し得る。例えば、第１再生デバイスは、第１再生デバイスの較正に用いた較正情報を送信し得る。このような較正情報は、第１再生デバイスのイコライゼーションを調整する１つ又は複数の較正値を示す較正プロファイルを含み得る。上述したように、このようなイコライゼーション調整により、所定の環境の音響特性をオフセットさせ、第１再生デバイスのスピーカーが発した音に対して所望の周波数応答を生成し得る。このようなプロファイルを第２デバイスと共用することにより、第２デバイスは、第１再生デバイスが（例えば、停電からの復帰のため）プロファイルを必要とするか又は要求した場合に、第１再生デバイスに送り返す情報を有し得る。
【０１４５】
また、第１再生デバイスは、較正に関するコンテキスト情報を１つ又は複数の第２デバイスと共有し得る。例えば、第１再生デバイスは、第１再生デバイスが最後に較正された時間を決定し、場合により更に、第１再生デバイスが最後に較正されたときに第１再生デバイスが構成されていた結合ゾーン構成を特定し得る。このような決定を行った後、第１再生デバイスは、これらの較正パラメータの情報を１つ又は複数の第２デバイスに送信し得る。
【０１４６】
このような較正パラメータを有することにより、第１再生デバイスが未較正となったことを第２デバイスが検出するのが容易となる。例えば、最後に較正時に第１再生デバイスが第１結合ゾーン構成内にあったことを第１再生デバイスが共有し、その後、第１再生デバイスが第２結合ゾーン較正内にあるという情報を第２デバイスが受信した場合、第２デバイスは、第１再生デバイスの較正が古くなったと判断し得る。このような判断を行うことに基づいて、第２再生デバイスは、第１再生デバイスが較正済みでなくなったという情報を、第１再生デバイスに送信し得る。制御デバイスは、考えられる動作として特に、第１再生デバイスを較正する手順を開始し得る、又は場合により第１再生デバイスの未較正状態の情報を表示し得る。
【０１４７】
上述したように、メディア再生システムのデバイスの例は、較正状態変数を記憶、更新、及び／又は共有し得るものであり、本明細書で考察したように、様々な利益を提供し得る。
【０１４８】
ＩＶ．較正状態変数の情報を表示する手法の例
上述したように、本明細書に記載の実施形態は、較正状態変数を含み得る。図９は、較正状態変数の情報を表示する方法９００の例を示す。
【０１４９】
ａ．第１ゾーンの較正状態を示す較正状態変数を受信
ブロック９０２において、方法９００は、第１ゾーンの較正状態を示す較正状態変数を受信することを含む。例えば、図１に示す制御デバイス１２６又は制御デバイス１２８等の制御デバイスは、特定のゾーン（例えば、メディア再生システム１００のリビングルームゾーン）の１つ又は複数の再生デバイスの較正状態を示す１つ又は複数の較正状態変数を受信し得る。
【０１５０】
場合により、較正状態変数は、あるゾーンが未較正である（即ち、そのゾーンの１つ又は複数の再生デバイスが較正されていない）ことを示し得る。ゾーンの再生デバイスは、再生デバイスが未較正となったときに、このような較正状態変数を共有し得る。例えば、上述したように、メディア再生システム１００の再生デバイス１０６等の再生デバイスは、第１再生デバイスが未較正となったことを示すトリガ条件（例えば、図５のブロック５０６に関連して上述したトリガ条件の１つ）を検出し得る。このようなトリガ条件を検出することに基づいて、再生デバイス１０６は、再生デバイス１０６が未較正であることを示すように較正状態変数を更新し、更新された較正状態変数の情報を制御デバイスに送信し得る。
【０１５１】
ｂ．グラフィカルインタフェースに較正状態の情報を表示
再び図９を参照すると、ブロック９０４において、方法９００は、グラフィカルインタフェースに較正状態変数が示す較正状態の情報を表示させることを含む。例えば、制御デバイス（例えば、制御デバイス１２６又は１２８）は、較正状態の情報を含むコントローラインタフェース（例えば、図４のコントローラインタフェース４００Ａ）を表示し得る。上述したように、場合により、較正状態変数は、所定のゾーンが未較正であることを示し得る。このような場合、制御デバイスは、所定のゾーンが未較正であるという情報を表示する。
【０１５２】
上述したように、メディア再生システムの例は、１つ又は複数のゾーンを含み得る。例えば、メディア再生システム１００は、複数のゾーン（例えば、リビングルームゾーン、キッチンゾーン、ダイニングルームゾーン、寝室ゾーン）を含む。制御デバイスは、メディア再生システムのゾーンを列挙するゾーン制御インタフェースを表示し得る。このようなゾーン制御インタフェースの一例は、図４に示したコントローラインタフェース４００Ａの再生ゾーン領域４２０である。このようなゾーン制御インタフェースは、１つ又は複数のゾーンの較正状態の情報を含み得る。
【０１５３】
図１０は、図１のメディア再生システム１００に対応するコントローラインタフェース４００Ｂの一例であるコントローラインタフェース４００Ｂを示す。コントローラインタフェース４００Ａと同様、コントローラインタフェース４００Ｂは、再生制御領域４１０、再生ゾーン領域４２０、再生ステータス領域４３０、再生待ち領域４４０、及びオーディオコンテンツソース領域４５０を含む。再生ゾーン領域４２０内において、コントローラインタフェース４００Ｂは、リビングルームゾーンに関する問題を示すグラフィカル要素４０２を更に含み、これによりリビングルームゾーンが未較正であることを示し得る。逆に、オフィス及び主寝室ゾーンに関して図示したように、このようなグラフィック要素の欠如は、これらのゾーンが較正済みであることを示してもよい。
【０１５４】
他の例として、図１１は、ゾーン制御インタフェース１１０２を表示しているスマートフォン１１００を示す。ゾーン制御インタフェース１１０２は、メディア再生システム１００のゾーンを示す。ゾーンコントロール１１０４、１１０６、及び１１０８は、オフィスゾーン、主寝室ゾーン、及びリビングルームゾーンを示す。メディア再生システム１００の他のゾーンを表す追加ゾーンコントロールは、スクロールにより表示し得る。ゾーンコントロール１１０４、１１０６、及び１１０８等のゾーンコントロールは、ゾーンの再生デバイス（群）上で再生している媒体を示し得る。ゾーン制御インタフェース１１０２は、メディア再生システム１００のゾーンの少なくとも１つに関する問題を示すグラフィック要素１１１０を更に含み、これによりメディア再生システム１００のゾーンの少なくとも１つが未較正であることを示し得る。
【０１５５】
一部の実施形態において、制御デバイスは、所定のゾーンの較正状態（例えば、所定のゾーンが未較正であること）を示すゾーン設定インタフェースを表示し得る。幾つかのインタフェースの例において、このような情報は、（少なくとも１つのゾーンに関する問題を全般的に示すのではなく）未較正である特定のゾーンを示すことにより、ゾーン制御インタフェース上に表示される情報と対比させ得る。図１０のグラフィカル要素４０２又は図１１のグラフィック要素１１１０のような選択可能コントロールの選択により、このようなゾーン設定インタフェースを表示させてもよい。
【０１５６】
ゾーン設定インタフェースを例示するために、図１２は、ゾーン設定インタフェース１２０２を表示しているスマートフォン１２００を示す。図１１のグラフィック要素１１１０のような選択可能コントロールの選択を検出することにより、ゾーン設定インタフェース１２０２を表示させ得る。ゾーン設定インタフェース１２０２は、選択時にそれぞれ主寝室、リビングルーム、ダイニングルーム、キッチン、バスルーム、寝室、及びバルコニー用の設定インタフェースを表示させる選択可能コントロール１２０４、１２０６、１２０８、１２１０、１２１２、１２１２、１２１６、及び１２１８を含む。
【０１５７】
選択可能コントロール１２０４〜１２１８は、その選択可能コントロールに対応するゾーンが較正済みであるかを示す。例えば、選択可能コントロール１２０８は、リビングルームゾーンが未較正であることを示す（「未チューニング」）。同様に、選択可能コントロール１２１２は、キッチンゾーンが未較正であることを示す。一方、選択可能コントロール１２０４、１２０６、１２１０、１２１４、１２１６、及び１２１８でのこのような表示の欠如は、これらのコントロールに対応するゾーンが較正済みであることを示し得る。上述したように、制御デバイス（即ち、スマートフォン１２００）は、そのゾーンが較正済みであるかを示す較正状態変数を受信した後、所定のゾーンの較正状態を更新し得る。
【０１５８】
また、ゾーン設定インタフェース１２０２は、ゾーンの再生デバイスに対する較正の効果を示すグラフィカル領域１２２０を含む（「チューニングにより、あなたのスピーカーのサウンドを部屋内での配置に合わせます」）。一部の例では、メディア再生システムの全てのゾーンが較正済みである場合に、グラフィカル領域１２２０には、このような情報を表示しなくてもよい。他の例では、メディア再生システムの全てのゾーンが較正済みであるときに、グラフィカル領域１２２０には、異なる情報を表示してもよい。例えば、グラフィカル領域１２２０は、メディア再生システムのゾーンがチューニング済みであることを示し得る。
【０１５９】
上述したように、一部の実施形態において、制御デバイスは、メディア再生システムの特定のゾーン用の設定インタフェースを表示し得る。特定のゾーン用の設定インタフェースは、特定のゾーンの動作を様々な形で調整する複数のコントロールを含み得る。更に、このような設定インタフェースは、第１ゾーンの特定の第１再生デバイスが未較正であるという情報を含み得る。図１２の選択可能コントロール１２０８又は選択可能コントロール１２１２のような選択可能コントロールの選択により、このような設定インタフェースを表示させてもよい。
【０１６０】
一例として、図１３は、メディア再生システム１００のリビングルームゾーン用の設定インタフェース１３０２を表示しているスマートフォン１３００を示す。上述したように、このリビングルームゾーンは、連結してサラウンドサウンド構成とした再生デバイス１０４、１０６、１０８、及び１１０を含む。選択可能コントロール（例えば、図１２の選択可能コントロール１２０８）の選択を検出することにより、ゾーン設定インタフェース１３０２を表示させてもよい。ゾーン設定インタフェース１３０２は、選択時に、リビングルームゾーンがどのように動作するか（即ち、再生デバイス１０４、１０６、１０８、及び１１０がどのように動作するか）を様々な面で調整又は変更する選択可能コントロール１３０４、１３０６、１３０８、１３１０、１３１２、１３１４、１３１６、及び１３１８を含む。
【０１６１】
特に、選択可能コントロール１３０４は、選択時、リビングルームゾーンのゾーン名を変更するインタフェースを提供する。図５のブロック５０６に関連して上述したように、ゾーンの名前の変更から、ゾーンの再生デバイスが移動したことを推定し、これにより較正状態を喪失させてもよい。例示のために、一部の例では、リビングルームゾーンのゾーン名の変化を検出すると、スマートフォン１３００等の制御デバイスは、リビングルームゾーンの再生デバイスに対して、ゾーンが未較正であることを示す命令を送信し、これによりリビングルームゾーンの再生デバイス（群）に、この較正状態を反映するように較正状態変数を更新させ得る。
【０１６２】
他の選択可能コントロールは、ゾーンの他の態様を調整する。選択可能コントロール１３０８は、選択時、ゾーンの再生デバイスのイコライゼーションを調整する（例えば、低音、高音、又は中域周波数等の特定の周波数をブースト又はカットする）インタフェースを提供する。選択可能コントロール１３１０及び１３１２は、再生デバイス１１０（即ち、サブウーファー）の動作を調整する。特に、選択可能コントロール１３１０は、選択時に、再生デバイス１１０のオン及びオフを切り替え、選択可能コントロール１３１２は、選択時に、再生デバイス１１０のボリュームレベルを調整するインタフェースを提供する。選択可能コントロール１３１４及び１３１６は、リビングルームゾーンの結合ゾーン較正（即ち、サラウンドサウンド構成）を調整する。特に、選択可能コントロール１３１４は、再生デバイス１１０のみを結合ゾーン構成から除去し、選択可能コントロール１３１４は、結合ゾーン構成から再生デバイス１０４、１０６、１０８、及び１１０を除去する。最後に、選択可能コントロール１３１８は、再生デバイス１０４、１０６、１０８、及び１１０上のそれぞれの電源インジケータライトのオン及びオフを切り替える。
【０１６３】
幾つかのコントロールの例を示して、設定インタフェースの例を説明してきたが、本明細書において考えられる他の設定インタフェースの例には、追加の若しくはより少数のコントロール、又は設定インタフェースの例に示していないコントロールが含まれてもよい。
【０１６４】
ｃ．グラフィカルインタフェースに第１ゾーンの較正を開始する選択可能コントロールを表示
図９では、ブロック９０６において、方法９００は、グラフィカルインタフェースに第１ゾーンの較正を開始する選択可能コントロールを表示させることを含む。例えば、制御デバイス（例えば、制御デバイス１２６又は１２８）は、第１ゾーンの１つ又は複数の第１再生デバイスの較正を開始する選択可能コントロールを含むコントローラインタフェース（例えば、図４のコントローラインタフェース４００Ａ）を表示し得る。他の例において、制御デバイスは、図１２のゾーン設定インタフェース１２０２又は図１３の設定インタフェース１３０２のような設定インタフェース上に、このような選択可能コントロールを表示し得る。
【０１６５】
例示のために、図１３を参照すると、設定インタフェース１３０２は、選択時に、リビングルームゾーンの較正を開始する選択可能コントロール１３０６を含む。また、選択可能コントロール１３０６は、リビングルームゾーンの特定の再生デバイスが未較正であるという情報を含む（即ち、再生デバイス１０６）。選択可能コントロール１３０６の選択により、少なくとも再生デバイス１０６（及び場合によりリビングルームゾーンの他の再生デバイス）を較正する較正手順を開始し得る。
【０１６６】
ｄ．ゾーンの較正を開始
再び図９を参照すると、ブロック９０８において、方法９００は、第１ゾーンの較正の開始を含み、これは第１ゾーンの１つ又は複数の再生デバイスを較正することを含み得る。本明細書において考えられる幾つかの較正手順は、再生デバイスが発した音波（例えば、１つ又は複数の較正音）を制御デバイスが検出及び解析することを含む。第１段階において、較正プロセスは、再生デバイスの較正のために再生デバイス、制御デバイス、及び／又は環境を準備することを含み得る。較正プロセスの第２段階は、較正自体を実行することを含み得る。一部の実施形態において、制御デバイスは、ユーザに較正手順の一方又は両方の段階で支援するように指示するプロンプト又は一連のプロンプトを表示し得る。
【０１６７】
較正のために再生デバイスを準備するために、制御デバイスは、後で再生デバイスを動作される状態で、再生デバイスを環境内に位置決めさせるプロンプトを提供し得る。環境の音響は、環境内の物理的な場所毎に異なる場合があるため、第１物理的位置で再生デバイスを較正することは、再生デバイスが第２物理的位置にある状態で聴取される場合、有用ではない可能性がある。再生デバイスをその動作位置で較正するために、制御デバイスは、再生デバイスを動作させる物理的位置に再生デバイスを位置決めさせるプロンプトを表示し得る。
【０１６８】
較正のために制御デバイスを準備するために、制御デバイスは、再生デバイスが発した較正音を検出するマイクロホンの音響を改善するための１つ又は複数のステップを実行させるプロンプトを提供し得る。例えば、制御デバイスは、マイクロホンの感度又は他の音響特性を改善し得る配向性であることから、マイクロホンが上方を向くように制御デバイスを回転させるように促し得る。他の例として、制御デバイスは、制御デバイスに設置された取り外し可能なケース又はカバーを取り外すように促し得る。ケース又はカバーは、マイクロホンに到達する前に物理的に音を遮断又は減衰させる可能性があるため、マイクロホンが音を感知する能力に悪影響を与え得る。例の中では、制御デバイスは、同様に他のステップを実行するように促し得る。
【０１６９】
較正のために環境を準備するために、制御デバイスは、較正に対する環境の影響を低減又は排除する１つ又は複数のステップを実行させるプロンプトを提供し得る。例えば、制御デバイスは、環境内の周辺雑音を低減するように促し得る。較正は、再生デバイスが発した較正音を検出する制御デバイスを含むため、周辺雑音は、マイクロホンが較正音を検出する能力に影響を与えることにより、較正手順に悪影響を与え得る。
【０１７０】
実施形態例において、第１段階は、再生デバイス、制御デバイス、及び環境を準備する上記のステップの任意の組み合わせを含み得る。更に、これらのステップは、任意の順序で実行し得る。例えば、制御デバイスは、制御デバイスの前に環境を準備するように促してもよい。更に、一部の例は、これらのステップを全て含まなくてもよい。例えば、一部の較正手順は、制御デバイス及び再生デバイスを準備することを含むが、必ずしも環境を準備することを含まない。加えて、記載した実体の何れかを準備することは、このような実体をどのように準備するかの記載例を全て含まなくてもよい。一例として、一部の実施形態において、制御デバイスは、制御デバイスを回転させるように促す一方で、ケースを取り外すことを促さなくてもよい。
【０１７１】
第１段階の後、制御デバイスは、較正に進み得る。一部の実施形態では、準備が完了したという情報を制御デバイスが受信するまで、制御デバイスは、開始しない場合がある（又は、較正を開始させない場合がある）。例えば、制御デバイスは、再生デバイス、制御デバイス、及び環境がそれぞれ較正のために準備されたことを示す入力データを検出した際に、較正を開始する選択可能コントロールを表示し得る。次に、表示されたコントロールの選択を示す入力データを検出した際に、制御デバイスは、較正を開始し得る。例えば、制御デバイスは、再生デバイスに較正音の発生を開始させる命令を再生デバイスに送信し得る。
【０１７２】
一部の較正手順は、環境内の複数の物理的位置で較正音を検出する制御デバイスにより改善され得る。上述したように、環境の音響は、環境内の位置毎に異なる場合がある。環境内の複数の物理的位置で較正音を検出することにより、環境を全体としてより良く理解し得る。複数の物理的位置での較正音の検出を容易にするために、制御デバイスは、較正手順中に移動をさせるプロンプトを提供し得る。移動は、較正中の再生デバイスが較正音を発している間に、ユーザが部屋の中で制御デバイスを運ぶことを含み得る。このようにして、制御デバイスは、環境内の複数の物理的位置で較正音を検出し得る。
【０１７３】
較正音を検出した後、制御デバイスは、較正音を分析して、所定の環境内の１つ又は複数の再生デバイスのそれぞれの周波数応答を決定し得る。このような応答を所定の再生デバイスに対して決定した後、制御デバイスは、所定の再生デバイスに、環境の音響をオフセットする特定の較正プロファイル（例えば、イコライゼーション）を採用するように命令し得る。
【０１７４】
他の較正手順の例又はその態様は、開示内容全体を本願明細書の一部とする２０１２年６月２８日提出の米国特許出願第１３／５３６，４９３号「デバイス再生較正のためのシステム及び方法」、２０１４年３月１７日提出の米国特許出願第１４／２１６，３０６号「環境に基づくオーディオ設定」、２０１４年９月９日提出の米国特許出願第１４／４８１，５１１号「再生デバイス較正」、及び米国特許出願第１４／６９６，０１４号「スピーカー較正」に記載されている。
【０１７５】
ゾーン（例えば、メディア再生システム１００のリビングルームゾーン）の再生デバイスを較正するために較正手順を実行した後、制御デバイスは、メディア再生システムを更新するための特定の動作を実行し得る。例えば、制御デバイスは、グラフィカルインタフェースに、ゾーンが未較正であるという情報（群）を除去させ得る。特に、メディア再生システムのゾーンが較正済みとなった場合、スマートフォン１１００は、メディア再生システムの少なくとも１つのゾーンが未較正であると示すことを止めるように、グラフィック要素１１１０を削除又は変更し得る。他の例として、スマートフォン１２００は、リビングルームゾーンが未較正であると示すことを止めるように、選択可能コントロール１２０８を変更し得る。更に他の例として、スマートフォン１３００は、再生デバイス１０６が未較正であると示すことを止めるように、選択可能コントロール１３０６を変更し得る。他の例も可能である。
【０１７６】
制御デバイスは、第１ゾーンの更新された較正状態により、メディア再生システムの再生デバイスを更新し得る。例えば、制御デバイス１２６等の制御デバイスは、リビングルームゾーンが較正済みとなったこと（即ち、再生デバイス１０４、１０６、１０８、及び１１０が較正済みであること）を示すように再生デバイス１０６に較正状態変数を更新させる命令を送信し得る。上述したように、一部の実施形態において、複数の再生デバイスは、所定の再生デバイスの較正状態を示すそれぞれの較正変数を記憶し得る。場合により、制御デバイスは、リビングルームゾーンの更新された較正状態の情報を、これらの再生デバイスに送信してもよい。又は、再生デバイスは、較正状態の情報を１つ又は複数の追加の再生デバイスに送信することにより、この較正状態をメディア再生システム１００に伝搬させてもよい。
【０１７７】
上述したゾーン設定インタフェースの例を参照すると、場合により、制御デバイスは、較正されたゾーン用の設定インタフェースを表示させる選択可能コントロールの選択を検出し得る。例えば、図１２において、スマートフォン１２００は、スマートフォン１２００に寝室ゾーン用の設定インタフェースを表示させ得る選択可能コントロール１２１６の選択を検出し得る。設定インタフェース１３０２と同様に、このような設定インタフェースは、設定インタフェース（即ち、寝室ゾーン）に対応するゾーンの動作を制御する複数のコントロールを含み得る。
【０１７８】
図１４は、メディア再生システム１００の寝室ゾーン用の設定インタフェース１４０２を表示しているスマートフォン１４００を示している。上述したように、この寝室ゾーンは、再生デバイス１２０を含む。選択可能コントロール（例えば、図１２の選択可能コントロール１２１６）の選択を検出することで、ゾーン設定インタフェース１４０２を表示させ得る。ゾーン設定インタフェース１４０２は、選択時に、寝室ゾーンがどのように動作するか（即ち、再生デバイス１２０がどのように動作するか）を様々な面で調整又は変更する選択可能コントロール１４０４、１４０６、１４０８、１４１０、及び１４１２を含む。
【０１７９】
選択可能コントロール１４０４、１４１０、及び１４１２は、それぞれ、図１３の選択可能コントロール１３０４，１３０８、及び１３１８と同様に動作する。特に、選択可能コントロール１３０４と同様に、選択可能コントロール１４０４は、選択時、寝室ゾーンのゾーン名を変更するインタフェースを提供する。選択可能コントロール１４１０は、選択時、再生デバイス１２０のイコライゼーションを調整するインタフェースを表示させる。選択可能コントロール１４１２は、選択時、再生デバイス１２０の電源インジケータライトのオン及びオフを切り替える。寝室ゾーンは、結合ゾーン構成又は特定のタイプの再生デバイス（例えば、サブウーファー）を含まないため、設定インタフェース１４０２は、設定インタフェース１３０２が含むコントロールの全てを含まなくてもよい。
【０１８０】
しかしながら、設定インタフェース１４０２は、寝室ゾーンが較正済みであることから、設定インタフェース１３０２が含まない選択可能コントロールも含む。代わりに、設定インタフェース１４０２は、寝室ゾーンの較正済み状態を調整する選択可能コントロール１４０６及び１４０８を含む。特に、選択可能コントロール１４０６は、選択時、寝室ゾーンの較正のオン及びオフを切り替える。選択可能コントロール１４０８は、選択時、再生デバイス１２０を再較正するために寝室ゾーンの較正手順を開始する。
【０１８１】
Ｖ．結論
上記の説明は、多数の構成要素のうち、ハードウェア上で実行されるファームウェア及び／又はソフトウェアを含む、様々なシステム、方法、デバイス（装置）、及び製品の例を特に開示している。このような例は、単なる例示的なものであり、限定的と見做すべきではないと理解される。例えば、ファームウェア、ハードウェア、及び／又はソフトウェアの態様又は構成要素の何れか又は全ては、ハードウェアのみで、ソフトウェアのみで、ファームウェアのみで、又はハードウェア、ソフトウェア、及び／又はファームウェアの任意の組み合わせにおいて、実施可能であると考えられる。したがって、提示した例は、このようなシステム、方法、デバイス、及び／又は製品を実現する唯一の方法ではない。
【０１８２】
手法の例は、較正状態変数を含み得る。一例では、方法が提供される。方法は、ネットワークインタフェースを介して、第１再生デバイスが較正済みであるという情報を受信することを含み得る。また、方法は、第１再生デバイスが較正済みであるという情報を受信することに基づいて、第１再生デバイスが較正済みであることを示すように較正状態変数を更新することを含み得る。方法は、更に、ネットワークインタフェースを介して、更新された較正状態変数の情報を第２デバイスに送信することを含み得る。
【０１８３】
他の例では、デバイスが提供される。デバイスは、ネットワークインタフェースと、少なくとも１つのプロセッサと、データストレージと、データストレージに記憶され、動作を行うために少なくとも１つのプロセッサにより実行可能なプログラムロジックとを含む。動作は、ネットワークインタフェースを介して、第１再生デバイスが較正済みであるという情報を受信することを含み得る。また、動作は、第１再生デバイスが較正済みであるという情報を受信することに基づいて、第１再生デバイスが較正済みであることを示すように較正状態変数を更新することを含み得る。動作は、更に、ネットワークインタフェースを介して、更新された較正状態変数の情報を第２デバイスに送信することを含み得る
【０１８４】
更に他の例では、非一時的コンピュータ読み取り可能メモリが提供される。非一時的コンピュータ読み取り可能メモリは、コンピュータにより実行可能で、コンピュータに動作を実行させる命令を記憶している。動作は、ネットワークインタフェースを介して、第１再生デバイスが較正済みであるという情報を受信することを含み得る。また、動作は、第１再生デバイスが較正済みであるという情報を受信することに基づいて、第１再生デバイスが較正済みであることを示すように較正状態変数を更新することを含み得る。動作は、更に、ネットワークインタフェースを介して、更新された較正状態変数の情報を第２デバイスに送信することを含み得る。
【０１８５】
他の手法の例は、較正状態変数の情報を表示するグラフィカルユーザインタフェースを含み得る。一例では、方法が提供される。方法は、メディア再生システムの第１再生デバイスから、第１再生デバイスが未較正であることを示す較正状態変数を受信することを含み得る。また、方法は、第１再生デバイスが未較正であるという情報をグラフィカルインタフェースに表示させることを含み得る。方法は、更に、選択時に第１再生デバイスの較正を開始する選択可能コントロールをグラフィカルインタフェースに表示させることと、第１再生デバイスの較正を開始することとを含み得る。
【０１８６】
他の例では、デバイスが提供される。デバイスは、ネットワークインタフェースと、少なくとも１つのプロセッサと、データストレージと、データストレージに記憶され、動作を行うために少なくとも１つのプロセッサにより実行可能なプログラムロジックとを含む。動作は、メディア再生システムの第１再生デバイスから、第１再生デバイスが未較正であることを示す較正状態変数を受信することを含み得る。また、動作は、第１再生デバイスが未較正であるという情報をグラフィカルインタフェースに表示させることを含み得る。動作は、更に、選択時に第１再生デバイスの較正を開始する選択可能コントロールをグラフィカルインタフェースに表示させることと、第１再生デバイスの較正を開始することとを含み得る。
【０１８７】
更に他の例では、非一時的コンピュータ読み取り可能メモリが提供される。非一時的コンピュータ読み取り可能メモリは、コンピュータにより実行可能で、コンピュータに動作を実行させる命令を記憶している。動作は、メディア再生システムの第１再生デバイスから、第１再生デバイスが未較正であることを示す較正状態変数を受信することを含み得る。また、動作は、第１再生デバイスが未較正であるという情報をグラフィカルインタフェースに表示させることを含み得る。動作は、更に、選択時に第１再生デバイスの較正を開始する選択可能コントロールをグラフィカルインタフェースに表示させることと、第１再生デバイスの較正を開始することとを含み得る。
【０１８８】
本明細書は、例示的な環境、システム、手順、ステップ、論理ブロック、処理、および他のシンボル表現に関して広く示されており、それらは直接又は間接的にネットワークに接続されるデータ処理デバイスの動作に類似するものである。これらの処理説明および表現は、一般的に当業者によって使用され、それらの仕事の内容を他の当業者に最も効率良く伝えることができる。多くの具体的な内容が、本開示を理解するために提供されている。しかしながら、当業者にとって、本開示の特定の実施形態が特定の、具体的な詳細なしに実施され得ることは理解される。他の例では、周知の方法、手順、コンポーネント、および回路が、実施形態を不必要に曖昧にすることを避けるため、詳細に説明していない。したがって、本開示の範囲は、上記した実施形態よりむしろ添付された特許請求の範囲によって定義される。
【０１８９】
添付の特許請求の範囲のいずれかが単にソフトウェア及び／又はファームウェアへの実装をカバーするように読み取ると、少なくとも１つの例における要素の１つ又は複数は、本明細書では、ソフトウェア及び／又はファームウェアを記憶する有形の非一時的な記憶媒体、例えば、メモリ、ＤＶＤ、ＣＤ、Ｂｌｕ−ｒａｙ（登録商標）等を含むことが明確に定められている。
【図１】
2020108173.tif 000003
【図２】
2020108173.tif 000004
【図３】
2020108173.tif 000005
【図４】
2020108173.tif 000006
【図５】
2020108173.tif 000007
【図６】
2020108173.tif 000008
【図７】
2020108173.tif 000009
【図８】
2020108173.tif 000010
【図９】
2020108173.tif 000011
【図１０】
2020108173.tif 000012
【図１１】
2020108173.tif 000013
【図１２】
2020108173.tif 000014
【図１３】
2020108173.tif 000015
【図１４】
2020108173.tif 000016
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
メディア再生システム（１００）の第１再生デバイス（１０２−１２４）のデータストレージに、第１再生デバイスの較正状態を示す較正状態変数を記憶するステップ、
第１再生デバイス（１０２−１２４）が未較正であることを示す較正状態変数の情報を、ネットワークインタフェースを介して、メディア再生システム（１００）の第２再生デバイス（１０２−１２８）に、第１再生デバイスによって送信するステップ、
を含み、
前記情報は、第２再生デバイス（１０２−１２８）に、第１再生デバイス（１０２−１２４）が未較正であることを示すように第２再生デバイス（１０２−１２８）に記憶された状態変数を更新させる命令を送信することを有する、方法。
【請求項２】
前記記憶するステップの前に、メディア再生システム（１００）の第１再生デバイス（１０２−１２４）が、ネットワークインタフェースを介して、第１再生デバイス（１０２−１２４）が未較正状態であることを示す情報を受信する、
請求項１に記載の方法。
【請求項３】
受信した情報は、第１再生デバイス（１０２−１２４）が未較正であることを示し、
前記情報は、
制御デバイス（１２６，１２８）と、
第２再生デバイス（１０２−１２４）と、
のうちのいずれか一方から受信する、
請求項２に記載の方法。
【請求項４】
第１再生デバイスが未較正であることを示す更新された較正状態変数は、第２再生デバイスから受信され、
制御デバイスに、第１再生デバイスを較正する較正手順を開始させる、
請求項３に記載の方法。
【請求項５】
さらに、
第１再生デバイスが未較正状態であることを示す情報を受信することに応答して、較正手順を、第１再生デバイスによって開始するステップ、
を含む、
請求項２又は３に記載の方法。
【請求項６】
第１再生デバイスと第２再生デバイスとのうち少なくとも１つは、１つ又は複数の較正音を発し、
較正手順は、更に、
較正プロファイルを採用する命令を受信すること、
を含む、
請求項４又は５に記載の方法。
【請求項７】
前記命令は、所定の環境の音響をオフセットするイコライゼーションプロファイルを含む、
請求項６に記載の方法。
【請求項８】
較正手順において、第２再生デバイスは、第１再生デバイスが電源オンされたことを検出した際に、又は定期的な送信の一部として、第１再生デバイスに未較正状態であることを示す情報を送信する、
請求項４〜７のいずれか一項に記載の方法。
【請求項９】
さらに、
第１再生デバイス（１０２−１２４）が未較正であることを示す較正状態変数の情報を、ネットワークインタフェースを介して、メディア再生システム（１００）の制御デバイス（１２６，１２８）に、第１再生デバイスによって送信するステップ、
を含み、
制御デバイス（１２６，１２８）に較正状態変数の情報を送信するステップは、第１再生デバイス（１０２−１２４）の較正状態を示すように、制御デバイス（１２６，１２８）にグラフィカルディスプレイを更新させる命令を送信すること、を有する、
請求項１〜８のいずれか一項に記載の方法。
【請求項１０】
さらに、
第１再生デバイスが最後に較正された時間を決定するステップ、
第１再生デバイスが最後に較正されたときに第１再生デバイスが構成された結合ゾーンを特定するステップ、
（ｉ）第１再生デバイスが最後に較正された時間と、（ｉｉ）第１再生デバイスが最後に較正されたときに第１再生デバイスが構成された結合ゾーンと、を含む情報を、第２再生デバイスに送信するステップ、
を含む、
請求項１〜９のいずれか一項に記載の方法。
【請求項１１】
第１再生デバイスは、最後に較正されたときに第１再生デバイスが第１結合ゾーン構成であったことを第２再生デバイスと共有しており、
前記方法は、さらに、
第１再生デバイスが第２結合ゾーン構成であることを示す情報を、第２再生デバイスに送信するステップ、
第１再生デバイスの較正が古くなったことを、第２再生デバイスによって決定するステップ、
第１再生デバイスが較正済みではなくなったことを示す情報を、第１再生デバイスに、第２再生デバイスによって送信するステップ、
を含む、
請求項１〜１０のいずれか一項に記載の方法。
【請求項１２】
第１再生デバイス（１０２−１２４）と第２再生デバイス（１０２−１２８）は、ローカルエリアネットワークを介して接続される、
請求項１〜１１のいずれか一項に記載の方法。
【請求項１３】
１つ又は複数のスピーカー、
ネットワークインタフェース、
データストレージ、
請求項１〜１２のいずれか一項に記載の方法を実行するために構成された１つ又は複数のプロセッサと、
を備えるメディア再生システム（１００）の第１再生デバイス。
【請求項１４】
請求項１３に記載の第１再生デバイス、
第２再生デバイス、
を備え、
第２再生デバイスは、第１再生デバイスの較正状態変数の情報を受信し、これに応答して、第２再生デバイスに記憶された状態変数を更新するように構成される、システム。
【外国語明細書】
2020108173.tif 000017
2020108173.tif 000018
2020108173.tif 000019
2020108173.tif 000020
2020108173.tif 000021
2020108173.tif 000022
2020108173.tif 000023
2020108173.tif 000024
2020108173.tif 000025
2020108173.tif 000026
2020108173.tif 000027
2020108173.tif 000028
2020108173.tif 000029
2020108173.tif 000030
2020108173.tif 000031
2020108173.tif 000032
2020108173.tif 000033
2020108173.tif 000034
2020108173.tif 000035
2020108173.tif 000036
2020108173.tif 000037
2020108173.tif 000038
2020108173.tif 000039
2020108173.tif 000040
2020108173.tif 000041
2020108173.tif 000042
2020108173.tif 000043
2020108173.tif 000044
2020108173.tif 000045
2020108173.tif 000046
2020108173.tif 000047
2020108173.tif 000048
2020108173.tif 000049
2020108173.tif 000050
2020108173.tif 000051
2020108173.tif 000052
2020108173.tif 000053
2020108173.tif 000054
2020108173.tif 000055
2020108173.tif 000056
2020108173.tif 000057
2020108173.tif 000058
2020108173.tif 000059
2020108173.tif 000060
2020108173.tif 000061
2020108173.tif 000062
2020108173.tif 000063
2020108173.tif 000064
2020108173.tif 000065
2020108173.tif 000066
2020108173.tif 000067
2020108173.tif 000068
2020108173.tif 000069
2020108173.tif 000070
2020108173.tif 000071
2020108173.tif 000072
2020108173.tif 000073
2020108173.tif 000074
2020108173.tif 000075
2020108173.tif 000076
2020108173.tif 000077
2020108173.tif 000078
2020108173.tif 000079
2020108173.tif 000080
2020108173.tif 000081
2020108173.tif 000082
2020108173.tif 000083
2020108173.tif 000084
2020108173.tif 000085
2020108173.tif 000086
2020108173.tif 000087
2020108173.tif 000088
2020108173.tif 000089
2020108173.tif 000090
2020108173.tif 000091
2020108173.tif 000092
2020108173.tif 000093
2020108173.tif 000094
2020108173.tif 000095
2020108173.tif 000096
2020108173.tif 000097